(57)【要約】  通常ストリーム及びターボ・ストリームから多重化されたデュアル伝送ストリーム（ＴＳ）を処理する方法が、ディジタル放送送受信システム用に提供される。ディジタル放送信号処理方法は、通常ストリーム及びターボ・ストリームから多重化されるデュアル伝送ストリーム（ＴＳ）を符号化する工程と、符号化されたデュアル伝送ストリーム（ＴＳ）をインタリーブする工程と、インタリーブされたデュアル伝送ストリーム（ＴＳ）からターボ・ストリームを検出し、検出されたターボ・ストリームを符号化し、符号化ターボ・ストリームをデュアル伝送ストリーム（ＴＳ）に詰め込み、符号化ターボ・ストリームに対応するパリティを補償することによってターボ処理する工程と、ターボ処理されたデュアル伝送ストリーム（ＴＳ）をトレリス符号化する工程とを含む。よって、ディジタル放送信号受信特性を、広範囲にわたる環境において向上させることが可能である。
2009524944.tif 000002
【特許請求の範囲】
【請求項１】
ディジタル放送システムであって、
伝送チャネルを介してパケットの形式でデュアル伝送ストリーム（ＴＳ）を送信するよう構成された送信システムと、
前記伝送チャネルからパケットの形式で前記デュアル伝送ストリーム（ＴＳ）を受信するよう構成された受信システムとを備え、
前記送信システムは、
消去符号化ターボ・ストリーム及び通常ストリームを多重化することにより、デュアル伝送ストリーム（ＴＳ）を生成するＴＳ生成器と、
前記デュアル伝送ストリーム（ＴＳ）から前記ターボ・ストリームを検出し、前記検出ターボ・ストリームを符号化し、前記符号化ターボ・ストリームを前記デュアル伝送ストリーム（ＴＳ）に詰め込み、前記デュアル伝送ストリーム（ＴＳ）を出力する励起器とを備えるディジタル放送システム。
【請求項２】
請求項１記載のディジタル放送システムであって、前記励起器は、
前記デュアル伝送ストリーム（ＴＳ）をランダム化するランダム化器と、
前記ランダム化デュアル伝送ストリーム（ＴＳ）に第１のパリティ挿入領域を設けるパリティ生成器と、
前記第１のパリティ挿入領域を有するデュアル伝送ストリーム（ＴＳ）をインタリーブする第１のインタリーブ器と、
前記インタリーブされたデュアル伝送ストリーム（ＴＳ）からターボ・ストリームを検出し、前記検出ターボ・ストリームを符号化し、前記符号化ターボ・ストリームを前記デュアル伝送ストリームに詰め込むターボ・プロセッサと、
前記符号化ターボ・ストリームによって詰め込まれたデュアル伝送ストリーム（ＴＳ）をデインタリーブするデインタリーブ器と、
前記デインタリーブされたデュアル伝送ストリーム（ＴＳ）を送信する送信器とを備えるディジタル放送システム。
【請求項３】
請求項２記載のディジタル放送システムであって、前記ＴＳ生成器は、
ターボ・ストリームを受け取り、消去符号化する消去符号器と、
前記消去符号化ターボ・ストリームに対して第２のパリティ挿入領域を設けるデュプリケータと、
前記第２のパリティ挿入領域を有するターボ・ストリーム、及び前記通常ストリームを多重化することにより、前記デュアル伝送ストリーム（ＴＳ）を生成するサービスＭＵＸとを備えるディジタル放送システム。
【請求項４】
請求項３記載のディジタル放送システムであって、前記ＴＳ生成器は、
前記消去符号化ターボ・ストリームをＲＳ符号化する第１のＲＳ符号器と、
前記ＲＳ符号化ターボ・ストリームをインタリーブするインタリーブ器とを更に備えるディジタル放送システム。
【請求項５】
請求項２記載のディジタル放送システムであって、前記ターボ・プロセッサは、
前記インタリーブされたデュアル伝送ストリーム（ＴＳ）から前記ターボ・ストリームを検出するＴＸ逆多重化器（ＤＥ−ＭＵＸ）と、
前記検出ターボ・ストリームのパリティを第２のパリティ挿入領域に挿入する外符号器と、前記パリティ挿入ターボ・ストリームをインタリーブする外インタリーブ器と、前記インタリーブされたターボ・ストリームを前記デュアル伝送ストリーム（ＴＳ）に詰め込むことにより、前記デュアル伝送ストリーム（ＴＳ）を再構成するＴＳ  ＭＵＸとを備えるディジタル放送システム。
【請求項６】
請求項５記載のディジタル放送システムであって、前記ターボ・プロセッサは、
前記インタリーブされたデュアル伝送ストリーム（ＴＳ）をバイトからシンボルに変換するバイトシンボル変換器と、
前記再構成されたデュアル伝送ストリームをシンボルからバイトに変換するシンボルバイト変換器とを更に備えるディジタル放送システム。
【請求項７】
請求項２記載のディジタル放送システムであって、前記送信器は、
前記デュアル伝送ストリーム（ＴＳ）のパリティを前記第１のパリティ挿入領域に挿入することにより、前記デインタリーブされたデュアル伝送ストリーム（ＴＳ）を符号化する第２のＲＳ符号器と、
前記符号化デュアル伝送ストリーム（ＴＳ）をインタリーブする第２のインタリーブ器と、
前記インタリーブされたデュアル伝送ストリーム（ＴＳ）をトレリス符号化するトレリス符号器と、
前記トレリス符号化デュアル伝送ストリーム（ＴＳ）に同期信号を加えるＭＵＸと、
前記同期信号を加えたデュアル伝送ストリーム（ＴＳ）をチャネル変調し、前記チャネル変調デュアル伝送ストリーム（ＴＳ）を送信する変調器とを備えるディジタル放送システム。
【請求項８】
請求項１記載のディジタル放送システムであって、前記励起器は、
通常ストリーム及びターボ・ストリームから多重化されたデュアル伝送ストリーム（ＴＳ）を受け取り、前記デュアル伝送ストリーム（ＴＳ）に設けられた詰め込み領域にＳＲＳを挿入するＳＲＳ挿入器と、
前記ＳＲＳを挿入させたデュアル伝送ストリーム（ＴＳ）を符号化するＲＳ符号器と、
前記符号化デュアル伝送ストリーム（ＴＳ）をインタリーブするインタリーブ器と、
前記インタリーブされたデュアル伝送ストリーム（ＴＳ）からターボ・ストリームを検出し、前記検出ターボ・ストリームを符号化し、前記符号化ターボ・ストリームを前記デュアル伝送ストリーム（ＴＳ）に詰め込み、前記符号化ターボ・ストリームに対応するパリティを補償するターボ・プロセッサと、
前記ターボ・プロセッサにおいて処理されたデュアル伝送ストリーム（ＴＳ）をトレリス符号化するトレリス／パリティ訂正器とを備えるディジタル放送システム。
【請求項９】
請求項８記載のディジタル放送システムであって、前記励起器は、前記ＴＳ生成器において生成されたデュアル伝送ストリーム（ＴＳ）をランダム化し、前記ランダム化デュアル伝送ストリーム（ＴＳ）を前記ＳＲＳ挿入器に供給するランダム化器を更に備えるディジタル放送システム。
【請求項１０】
請求項８記載のディジタル放送システムであって、前記ＴＳ生成器は、
前記ターボ・ストリームを受け取り、パリティ挿入領域を設けるデュプリケータと、
前記パリティ挿入領域を有するターボ・ストリーム、及び前記通常ストリームを多重化することにより、前記デュアル伝送ストリーム（ＴＳ）を生成するサービスＭＵＸとを備えるディジタル放送システム。
【請求項１１】
請求項１０記載のディジタル放送システムであって、前記ＴＳ生成器は、
前記ターボ・ストリームを受け取り、符号化するＲＳ符号器と、
前記符号化ターボ・ストリームをインタリーブし、前記インタリーブされたターボ・ストリームを前記デュプリケータに供給するインタリーブ器とを更に備えるディジタル放送システム。
【請求項１２】
請求項８記載のディジタル放送システムであって、前記ターボ・プロセッサは、
前記インタリーブされたデュアル伝送ストリーム（ＴＳ）から前記ターボ・ストリームを検出するターボ・ストリーム検出器と、
前記検出ターボ・ストリームのパリティを前記パリティ挿入領域に挿入する外符号器と、
前記パリティ挿入ターボ・ストリームをインタリーブする外インタリーブ器と、
前記インタリーブされたターボ・ストリームを前記デュアル伝送ストリーム（ＴＳ）に挿入することにより、前記デュアル伝送ストリーム（ＴＳ）を再構成するターボ・ストリーム詰め込み器と、
前記再構成デュアル伝送ストリーム（ＴＳ）のパリティを再生成し、前記デュアル伝送ストリーム（ＴＳ）に前記パリティを加えるパリティ補償器とを備えるディジタル放送システム。
【請求項１３】
請求項１２記載のディジタル放送システムであって、前記ターボ・プロセッサは、
前記インタリーブされたデュアル伝送ストリーム（ＴＳ）をバイトからシンボルに変換するバイトシンボル変換器と、
再構成パリティを前記パリティ補償器において加えたデュアル伝送ストリーム（ＴＳ）をシンボルからバイトに変換するシンボルバイト変換器とを更に備えるディジタル放送システム。
【請求項１４】
請求項８記載のディジタル放送システムであって、前記励起器は、
前記トレリス符号化デュアル伝送ストリーム（ＴＳ）に同期信号を加えるＭＵＸと、
前記同期信号を加えたデュアル伝送ストリーム（ＴＳ）を送信する送信器とを更に備えるディジタル放送システム。
【請求項１５】
請求項１４記載のディジタル放送システムであって、前記送信器は、
前記同期信号を加えたデュアル伝送ストリーム（ＴＳ）にパイロットを挿入するパイロット挿入器と、
前記パイロット挿入デュアル伝送ストリーム（ＴＳ）を等化する前置等化器と、
前記等化デュアル伝送ストリーム（ＴＳ）をＶＳＢ変調するＶＳＢ変調器と、
前記ＶＳＢ変調デュアル伝送ストリーム（ＴＳ）をＲＦチャネル帯信号に変調し、前記変調デュアル伝送ストリーム（ＴＳ）を送信するＲＦ変調器とを備えるディジタル放送システム。
【請求項１６】
請求項８記載のディジタル放送システムであって、前記トレリス／パリティ訂正器は、前記ＳＲＳの前記符号化前に初期化に進み、前記初期化によって変更される値によってパリティを補償するディジタル放送システム。
【請求項１７】
請求項１６記載のディジタル放送システムであって、前記トレリス／パリティ訂正器は、
初期化期間に対応する外部制御信号が受け取られると前記初期化を行い、予め記憶された値を初期化値として出力するトレリス符号器ブロックと、
前記初期化値に対応するパリティを生成するＲＳ再符号器と、
前記ＲＳ再符号器において生成されたパリティと、前記デュアル伝送ストリーム（ＴＳ）とを加えることにより、前記デュアル伝送ストリーム（ＴＳ）のパリティを訂正する加算器とを備えるディジタル放送システム。
【請求項１８】
請求項１７記載のディジタル放送システムであって、前記トレリス／パリティ訂正器は、
前記トレリス符号器ブロックに対する、前記加算器によって訂正されたパリティを有するデュアル伝送ストリーム（ＴＳ）のＭＵＸと、
前記トレリス符号器ブロックにおいてトレリス符号化されたデュアルＴＳをシンボル・マッピングし、出力するマップとを更に備えるディジタル放送システム。
【請求項１９】
請求項１８記載のディジタル放送システムであって、前記トレリス符号器ブロックは複数のトレリス符号器を更に備え、各トレリス符号器は、
特定の値を記憶する複数のメモリと、
前記ＳＲＳの入力前に配置された２つのビットのうちの一方を受け取り、出力し、前記外部制御信号が受け取られると、前記複数のメモリのうちの第１のメモリに記憶された値を選択し、出力する第１のＭＵＸと、
前記第１のＭＵＸからの出力値と、前記第１のメモリに記憶された値とを加えることにより出力し、前記出力値を前記第１のメモリに記憶する第１の加算器と、
前記ＳＲＳの入力前に配置された前記２つのビットのうちの他方を受け取り、出力し、前記外部制御信号が受け取られると、前記複数のメモリのうちの第２のメモリに記憶された値を選択し、出力する第２のＭＵＸと、
前記第２のＭＵＸの出力値と、前記第１のメモリに記憶された値とを加え、結果値を前  記複数のメモリのうちの第３のメモリに記憶する第２の加算器とを備え、
前記第３のメモリに予め記憶された値は、シフトさせられ、前記第２のメモリに記憶され、
前記第１のメモリに予め記憶された値及び前記第２のメモリに予め記憶された値は前記ＲＳ再符号器に前記初期化値として供給されるディジタル放送システム。
【請求項２０】
請求項１記載のディジタル放送システムであって、前記受信システムは、
消去符号化ターボ・ストリーム及び通常ストリームを含むデュアル伝送ストリーム（ＴＳ）を受け取り、復調する復調器と、
前記復調デュアル伝送ストリーム（ＴＳ）を等化する等化器と、
前記等化デュアル伝送ストリーム（ＴＳ）の前記通常ストリームを復号化することにより、通常データ・パケットを出力する第１のプロセッサと、
前記等化デュアル伝送ストリーム（ＴＳ）のターボ・ストリームを復号化することにより、ターボ・ストリーム・パケットを回復し、前記回復されたターボ・ストリームを消去復号化する第２のプロセッサとを備えるディジタル放送システム。
【請求項２１】
請求項２０記載のディジタル放送システムであって、前記第１のプロセッサは、
前記等化デュアル伝送ストリーム（ＴＳ）の通常ストリームに対して誤り訂正を行い、前記誤り訂正された通常ストリームを復号化するビタビ復号器と、
前記ビタビ復号器によって復号化された通常ストリームをデインタリーブするデインタリーブ器と、
前記第１のデインタリーブ器において処理された通常ストリームの誤りを訂正する第１のＲＳ復号器と、
前記誤り訂正された通常ストリームをデランダム化することにより、前記通常データ・パケットを回復するデランダム化器とを備えるディジタル放送システム。
【請求項２２】
請求項２１記載のディジタル放送システムであって、前記第２のプロセッサは、
前記等化デュアル伝送ストリーム（ＴＳ）の前記ターボ・ストリームをターボ復号化するターボ復号器と、
前記ターボ復号化ターボ・ストリームをデインタリーブする第２のデインタリーブ器と、
前記デインタリーブされたターボ・ストリームからパリティを除去するパリティ除去器と、
前記パリティが除去されたターボ・ストリームをデランダム化するデランダム化器と、
前記デランダム化ターボ・ストリームを逆多重化することにより、ターボ・ストリーム・パケットを回復するターボＤＥ−ＭＵＸと、
前記回復ターボ・ストリーム・パケットを消去復号化する消去復号器とを備えるディジタル放送システム。
【請求項２３】
請求項２２記載のディジタル放送システムであって、前記ターボ復号器は、
前記等化デュアル伝送ストリーム（ＴＳ）の前記ターボ・ストリームをトレリス復号化するトレリス復号器と、
前記トレリス復号化ターボ・ストリームをデインタリーブする外デインタリーブ器と、
前記デインタリーブされたターボ・ストリームを復号化する外マップ復号器と、
前記外マップ復号器において復号化されたターボ・ストリームをインタリーブし、前記外マップ復号器から軟判定が出力された場合、前記インタリーブされたターボ・ストリームを前記トレリス復号器に供給する外インタリーブ器と、
前記外マップ復号器の硬判定出力値をフレーム・フォーマッティングするフレーム・フォーマッタと、
前記フレーム・フォーマッティングされたターボ・ストリームをシンボルからバイトに変換するシンボル・デインタリーブ器とを備えるディジタル放送システム。
【請求項２４】
請求項１記載のディジタル放送システムであって、前記受信システムは、
ターボ・ストリーム及び通常ストリームを含むデュアル伝送ストリーム（ＴＳ）を受け取り、復調する復調器と、
前記復調デュアル伝送ストリーム（ＴＳ）を等化する等化器と、
前記等化デュアル伝送ストリーム（ＴＳ）の前記通常ストリームを復号化するビタビ復号器と、
前記等化デュアル伝送ストリーム（ＴＳ）の前記ターボ・ストリームを復号化するターボ復号器と、
前記ターボ復号器において復号化されたターボ・ストリームを前記デュアル伝送ストリーム（ＴＳ）に挿入するターボ挿入器と、
前記ターボ挿入器で処理されたデュアル伝送ストリーム（ＴＳ）をデインタリーブするデインタリーブ器と、
前記デインタリーブされたデュアル伝送ストリーム（ＴＳ）をＲＳ復号化するＲＳ復号器と、
前記ＲＳ復号化デュアル伝送ストリーム（ＴＳ）をデランダム化するデランダム化器と、
前記デュアル伝送ストリーム（ＴＳ）を逆多重化することにより、通常ストリーム・パケット及びターボ・ストリーム・パケットを回復するターボＤＥ−ＭＵＸとを備えるディジタル放送システム。
【請求項２５】
請求項２４記載のディジタル放送システムであって、前記ターボ復号器は、
前記等化デュアル伝送ストリーム（ＴＳ）の前記ターボ・ストリームをトレリス復号化するトレリス復号器と、
前記トレリス復号化ターボ・ストリームをデインタリーブする外デインタリーブ器と、
前記デインタリーブされたターボ・ストリームを復号化する外マップ復号器と、
前記外マップ復号器において復号化されたターボ・ストリームをインタリーブし、前記外マップ復号器から軟判定が出力された場合、前記インタリーブされたターボ・ストリームを前記トレリス復号器に供給する外インタリーブ器と、
前記外マップ復号器の硬判定出力値をフレーム・フォーマッティングするフレーム・フォーマッタと、
前記フレーム・フォーマッティングされたターボ・ストリームをシンボルからバイトに変換し、前記変換ターボ・ストリームを前記ターボ挿入器に供給するシンボル・デインタリーブ器とを備えるディジタル放送システム。
【請求項２６】
請求項２４記載のディジタル放送システムであって、前記ターボＤＥ−ＭＵＸは、
前記デュアル伝送ストリーム（ＴＳ）を逆多重化することにより、前記通常ストリーム及び前記ターボ・ストリームを出力するＴＳ  ＤＥーＭＵＸと、
前記ＴＳ  ＤＥーＭＵＸから出力された通常ストリームに同期信号を挿入し、前記通常ストリームを出力する第１のＳＹＮＣ挿入器と、
前記ＴＳ  ＤＥ−ＭＵＸから出力されたターボ・ストリームをデインタリーブするデインタリーブ器と、
前記デインタリーブされたターボ・ストリーム内の空き領域を除去するコンデンサと、
前記空き領域が除去されるターボ・ストリームをＲＳ復号化するＲＳ復号器と、
前記ＲＳ復号化ターボ・ストリームに同期信号を挿入し、前記ターボ・ストリームを出力する第２のＳＹＮＣ挿入器とを備えるディジタル放送システム。
【請求項２７】
請求項２４記載のディジタル放送システムであって、前記ターボＤＥ−ＭＵＸは、
前記デュアル伝送ストリーム（ＴＳ）を逆多重化することにより、前記通常ストリーム及び前記ターボ・ストリームを出力するＴＳ  ＤＥ−ＭＵＸと、
前記ＴＳ  ＤＥ−ＭＵＸから出力された通常ストリームに同期信号を挿入し、前記通常ストリームを出力するＳＹＮＣ挿入器と、
前記ＴＳ  ＤＥ−ＭＵＸから出力されたターボ・ストリームをデインタリーブするデインタリーブ器と、
前記デインタリーブされたターボ・ストリーム内の空き領域を除去するコンデンサと、
前記空き領域が除去されるターボ・ストリームから前記同期信号を検出するＳＹＮＣ検出器と、
前記検出同期信号からの前記ターボ・ストリームを特定の長さだけＲＳ復号化し、出力するＲＳ復号器とを備えるディジタル放送システム。
【請求項２８】
請求項２４記載のディジタル放送システムであって、前記受信システムは、前記ターボＤＥ−ＭＵＸにおいて回復されたターボ・ストリーム・パケットを消去復号化する消去復号器を更に備えるディジタル放送システム。
【請求項２９】
ディジタル放送信号を送信するシステムであって、
通常ストリーム及びターボ・ストリームが多重化されたデュアル伝送ストリームを受け取り、前記デュアル伝送ストリームに設けられた詰め込み領域に補助基準信号を挿入する補助基準信号挿入器と、
中に前記補助基準信号を挿入させたデュアル伝送ストリームを符号化するリードソロモン（ＲＳ）符号器と、
前記符号化デュアル伝送ストリームをインタリーブするインタリーブ器と、
前記インタリーブされたデュアル伝送ストリームから前記ターボ・ストリームを検出し、符号化し、前記符号化ターボ・ストリームを前記デュアル伝送ストリームに詰め込み、前記符号化ターボ・ストリームに対応するパリティを補償するターボ・プロセッサと、
前記ターボ・プロセッサによって処理されたデュアル伝送ストリームのトレリス符号化を行うトレリス／パリティ訂正器とを備えるシステム。
【請求項３０】
請求項２９記載のシステムであって、前記通常ストリーム及び前記ターボ・ストリームを多重化することにより、前記デュアル伝送ストリームを生成する伝送ストリーム構成器を更に備えるシステム。
【請求項３１】
請求項３０記載のシステムであって、前記伝送ストリーム構成器によって生成されたデュアル伝送ストリームをランダム化し、前記ランダム化伝送ストリームを前記補助基準信号挿入器に供給するランダム化器を更に備えるシステム。
【請求項３２】
請求項２９記載のシステムであって、前記ターボ・プロセッサは、
前記インタリーブされたデュアル伝送ストリームから前記ターボ・ストリームを検出するターボ・ストリーム検出器と、
前記検出ターボ・ストリームのパリティをパリティ挿入領域に挿入する外符号器と、
前記外符号器によって処理されたターボ・ストリームをインタリーブする外インタリーブ器と、
前記インタリーブされたターボ・ストリームを前記デュアル伝送ストリームに挿入することにより、前記デュアル伝送ストリームを再構成するターボ・ストリーム詰め込み器と、
前記再構成デュアル伝送ストリームのパリティを再生成し、前記デュアル伝送ストリームに加えるパリティ補償器とを備えるシステム。
【請求項３３】
請求項３２記載のシステムであって、前記ターボ・プロセッサは、
前記インタリーブされたデュアル伝送ストリームの単位をバイトからシンボルに変換するバイトシンボル変換器と、
前記パリティ補償器によって再生成されたパリティが加えられたデュアル伝送ストリームの単位をシンボルからバイトに変換するシンボルバイト変換器とを更に備えるシステム。
【請求項３４】
請求項２９記載のシステムであって、前記トレリス符号化デュアル伝送ストリームを送信する送信器を更に備えるシステム。
【請求項３５】
請求項３４記載のシステムであって、前記送信器は、
前記トレリス符号化デュアル伝送ストリームに同期信号を加える多重化器（ＭＵＸ）と、
前記同期信号が加えられたデュアル伝送ストリームにパイロットを挿入するパイロット挿入器と、
前記パイロットが挿入されているデュアル伝送ストリームを等化する前置等化器と、前記等化されたデュアル伝送ストリームのＶＳＢ変調を行うＶＳＢ変調器と、
前記ＶＳＢ変調デュアル伝送ストリームをＲＦチャネル帯信号によって変調して、前記変調デュアル伝送ストリームを送信するＲＦ変調器とを備えるシステム。
【請求項３６】
請求項２９記載のシステムであって、前記トレリス／パリティ訂正器は、前記補助基準信号を符号化する前に初期化に進み、前記初期化によって変更された値によってパリティを補償するシステム。
【請求項３７】
請求項３６記載のシステムであって、前記トレリス／パリティ訂正器は、
前記初期化領域に対応する外部制御信号が受信された場合、前記初期化に進み、予め記憶された値を初期値として出力するトレリス符号器ブロックと、
前記初期値に対応するパリティを生成するＲＳ符号器と、
前記ＲＳ符号器によって生成されたパリティを前記デュアル伝送ストリームに加えることにより、前記デュアル伝送ストリームのパリティを訂正する加算器とを備えるシステム。
【請求項３８】
請求項３７記載のシステムであって、前記トレリス／パリティ訂正器は、
前記トレリス符号器ブロックに、前記加算器によって訂正されたパリティを有するデュアル伝送ストリームを供給するＭＵＸと、
前記トレリス符号器ブロックにおいてトレリス符号化されたデュアル伝送ストリームのシンボル・マッピングを行うマップとを更に備えるシステム。
【請求項３９】
請求項３７記載のシステムであって、前記トレリス符号器ブロックは、複数のトレリス符号器を備えるシステム。
【請求項４０】
請求項３９記載のシステムであって、前記トレリス符号器は、
特定された値を記憶する複数のメモリと、
前記補助基準信号の入力前に配置された２ビットのうちの一方を受け取り、出力し、前記外部制御信号が受信された場合、前記複数のメモリの内の前記第１のメモリに記憶された記憶値を選択し、出力する第１のＭＵＸと、
前記第１のＭＵＸから出力された出力値、及び前記第１のメモリに記憶された記憶値を加え、その出力値を前記第１のメモリに記憶する第１の加算器と、
前記補助基準信号の前記入力の前に配置された前記２つのビットのうちの他方を受け取り、出力し、前記外部制御信号が受け取られた場合、前記複数のメモリのうちの第２のメモリに記憶された記憶値を選択し、出力する第２のＭＵＸと、
前記第２のＭＵＸの出力値、及び前記第２のメモリに記憶された記憶値を加え、前記複数のメモリのうちの第３のメモリにその出力値を記憶する第２の加算器とを備え、
前記第３のメモリに予め記憶された値は、前記第２のメモリにシフトさせられ、記憶され、前記第１のメモリに予め記憶された値及び前記第２のメモリに予め記憶された値は前記ＲＳ符号器に前記初期値として供給されるシステム。
【請求項４１】
ディジタル放送信号を送信する方法であって、
（ａ）通常ストリーム及びターボ・ストリームが多重化されたデュアル伝送ストリームを受け取り、前記デュアル伝送ストリームに供給された詰め込み領域に補助基準信号を挿入する工程と、
（ｂ）中に前記補助基準信号を挿入させたデュアル伝送ストリームを符号化する工程と、
（ｃ）前記符号化デュアル伝送ストリームをインタリーブする工程と、
（ｄ）前記インタリーブされたデュアル伝送ストリームからのターボ・ストリームを検出し、符号化し、前記デュアル伝送ストリームを前記符号化タ―ボ・ストリームによって詰め込み、前記符号化ターボ・ストリームに対応するパリティを補償することによってターボ処理する工程と、
（ｅ）前記ターボ処理されたデュアル伝送ストリームのトレリス符号化を行う工程とを備える方法。
【請求項４２】
請求項４１記載の方法であって、前記通常ストリーム及び前記ターボ・ストリームを多重化することにより、前記デュアル伝送ストリームを生成する工程を更に備える方法。
【請求項４３】
請求項４２記載の方法であって、工程（ａ）前に前記デュアル伝送ストリームをランダム化する工程を更に備える方法。
【請求項４４】
請求項４１記載の方法であって、前記工程（ｄ）は、
（ｄ１）前記インタリーブされたデュアル伝送ストリームから前記ターボ・ストリームを検出する工程と、
（ｄ２）前記検出されたターボ・ストリームのパリティをパリティ挿入領域に挿入することにより、前記検出ターボ・ストリームの外符号化を行う工程と、
（ｄ３）前記外符号化ターボ・ストリームをインタリーブする工程と、
（ｄ４）前記インタリーブされたターボ・ストリームを前記デュアル伝送ストリームに挿入することにより、前記デュアル伝送ストリームを再構成する工程と、
（ｄ５）前記再構成デュアル伝送ストリームのパリティを再生成し、前記デュアル伝送ストリームに加える工程とを備える方法。
【請求項４５】
請求項４４記載の方法であって、前記工程（ｄ）は、
前記インタリーブされたデュアル伝送ストリームの単位をバイトからシンボルに変換する工程と、
前記再生成パリティを加えたデュアル伝送ストリームの単位をシンボルからバイトに変換する工程とを更に備える方法。
【請求項４６】
請求項４１記載の方法であって、前記トレリス符号化デュアル伝送ストリームに同期信号を加える工程と、前記同期信号を加えたデュアル伝送ストリームを送信する工程とを更に備える方法。
【請求項４７】
請求項４６記載の方法であって、前記デュアル伝送ストリームを送信する工程は、
前記同期信号が加えられたデュアル伝送ストリームにパイロットを挿入する工程と、
前記パイロットが挿入されているデュアル伝送ストリームを等化する工程と、
前記等化デュアル伝送ストリームのＶＳＢ変調を行う工程と、
前記ＶＳＢ変調デュアル伝送ストリームをＲＦチャネル帯信号によって変調して、前記変調デュアル伝送ストリームを送信する工程とを備える方法。
【請求項４８】
請求項４１記載の方法であって、前記工程（ｅ）は、
前記トレリス符号化を行うトレリス符号器を初期化する工程と、
前記トレリス符号器に予め記憶された値に対応する初期化値のパリティを用いて、前記デュアル伝送ストリームのパリティを補償する工程とを備える方法。
【発明の詳細な説明】
【技術分野】
【０００１】
本発明は一般に、ディジタル放送伝送ストリーム（ＴＳ）をロバストに処理し、伝送する方法、ディジタル放送送受信システム、及びその信号処理方法に関する。特に、本発明は、通常ストリーム及びターボ・ストリームを含むデュアル伝送ストリーム（ＴＳ）に関する情報交換及びマッピングにより、ディジタル放送伝送ストリーム（ＴＳ）をロバストに処理し、伝送して、新型テレビジョンシステム委員会（ＡＴＳＣ）残留側波帯（ＶＳＢ）方式による米国における地上波ディジタル・テレビジョン（ＤＴＶ）放送システムの受信特性を向上させる方法、及びディジタル放送送受信システムに関する。
【背景技術】
【０００２】
米国における地上波ディジタル・テレビジョン（ＤＴＶ）放送方式である新型テレビジョンシステム委員会（ＡＴＳＣ）残留側波帯（ＶＳＢ）方式は、３１２個のデータ・セグメントの単位毎にフィールド同期信号を送信する単一キャリア方式である。したがって、ＡＴＳＣ  ＶＳＢ方式の受信特性は、微弱なチャネル上（特に、ドップラ・フェージング・チャネル上）では良好でない。
【０００３】
図１は、ディジタル放送送信器及びディジタル放送受信器を含む通常のＡＴＳＣ  ＶＳＢシステムのブロック図である。図１に示すディジタル放送送信器は、フィリップス社によって提案されているエンハンスドＶＳＢ  （Ｅ−ＶＳＢ）によって構成され、既存のＡＴＳＣ  ＶＳＢシステムの通常データにロバストなデータ、又はターボ・データが付加されたデュアル・ストリームを生成し、送信するよう構成される。
【０００４】
図１に示すように、ディジタル放送送信器は、デュアル・ストリームをランダム化するランダム化器１１と、伝送ストリーム（ＴＳ）にパリティ・バイトを付加して、伝送中のチャネル特性によって生じる誤りを訂正する連結符号器型のリードソロモン（ＲＳ）符号器１２と、ＲＳ符号化データを所定のパターンにインタリーブするインタリーブ器１３と、インタリーブされたデータを、インタリーブされたデータに対して２／３レートでトレリス符号化し、８値シンボルにマッピングするトレリス符号器１４とを含む。この構成によって、ディジタル放送送信器は、デュアル・ストリームに対して誤り訂正符号化を行う。
【０００５】
ディジタル放送送信器は多重化器１５及び変調器１６を含む。多重化器１５は、フィールド同期（同期）及びセグメント同期（同期）を、図２に示すデータ形式によって示す誤り訂正符号化を経たデータに挿入する。変調器１６は、挿入されたセグメント同期信号及びフィールド同期信号を有するデータ・シンボルに所定の直流（ＤＣ）値を加えることにより、パイロット・トーンを挿入し、パルス整形によってＶＳＢ変調を行い、無線周波数（ＲＦ）チャネル帯の信号に変調データをアップコンバートし、アップコンバート信号を送信する。
【０００６】
単一のチャネルを介して通常データ及びロバストな（ターボ）データを伝送するデュアル・ストリーム方式によれば、通常データ及びロバストなデータを多重化し（図示せず）、ランダム化器１１に入力する。入力デ―タは、ランダム化器１１によってランダム化され、ランダム化データは、外符号器であるＲＳ符号器１２で外符号化され、符号化データは、インタリーブ器１３で拡散させる。インタリーブされたデータは、トレリス符号器１４において、１２個のシンボルの単位で内符号化される。内符号化データが８値シンボルにマッピングされた後、フィールド同期信号及びセグメント同時信号は、マッピングされたデータに挿入される。次に、パイロット・トーンを挿入することにより、データがＶＳＢ変調され、ＲＦ信号に変換され、送信される。
【０００７】
一方、図１に示すディジタル放送受信器は、チャネルを介して受信されたＲＦ信号をベースバンド信号に変換するチューナ（図示せず）と、変換されたベースバンド信号に対して同期検出及び復調を行う復調器２１と、マルチパス（複数の伝送パス）によって生じるチャネル歪みを復調信号について補償する等化器２２と、等化信号の誤りを訂正し、誤り訂正信号をシンボル・データに復号化するビタビ復号器２３と、ディジタル放送送信器のインタリーブ器１３によって拡散させたシンボル・データを再編成するデインタリーブ器２４と、誤りを訂正するＲＳ復号器２５と、ＲＳ復号器２５によって訂正されたデータをデランダム化することにより、ＭＰＥＧ−２（動画像専門家グループ）伝送ストリーム（ＴＳ）を出力するデランダム化器２６とを備える。
【０００８】
よって、図１に示すディジタル放送受信器は、図１に示すディジタル放送送信器の逆動作において、ＲＦ信号をベースバンド信号にダウンコンバートし、ダウンコンバート信号を復調し、等化し、チャネル復号化を行って元の信号を得ることにより、元の信号を回復する。
【０００９】
図２は、セグメント同期信号及びフィールド同期信号が挿入される、ＡＴＳＣ  ＶＳＢシステムのＶＳＢデータ・フレームの例を示す。図２に示すように、一フレームは２フィールドを有し、一フィールドは、最初のセグメントであるフィールド同期セグメントと、３１２個のデータ・セグメントとを有する。ＶＳＢデータ・フレームでは、一セグメントは、一ＭＰＥＧ−２パケットに対応し、４値セグメント同期信号及び８２８個のデータ・シンボルを有する。
【００１０】
図２では、同期信号（セグメント同期信号及びフィールド同期信号）は、図１に示すように、ディジタル放送受信器における同期化及び等化に用いる。すなわち、フィールド同期信号及びセグメント同期信号は、図１に示す地上波ディジタル放送システムのディジタル放送送信器及びディジタル放送受信器に知られており、ディジタル放送受信器が等化を行う場合、基準信号として用いられる。
【００１１】
既存のＡＴＳＣ  ＶＳＢシステムの通常データに、ロバストな（ターボ）データを加えることにより、デュアル・ストリームを生成し、伝送するよう構成された、図１に示すような米国の地上波ディジタル放送システムは、既存の通常データをロバストな（ターボ）データとともに送信する。
【発明の開示】
【発明が解決しようとする課題】
【００１２】
しかし、図１に示すような米国の地上波ディジタル放送システムは、ロバスト（ターボ）データが付加されたデュアル・ストリームが、を伴って伝送されても、既存の通常データ・ストリーム伝送による、マルチパス・チャネルにおける低質の受信特性を向上させることが可能でない。すなわち、改良された通常ストリームによっても受信特性が何ら向上しないという点で、米国の地上波ディジタル放送システムは不利である。更に、ターボ・ストリームは、マルチパス環境においても受信特性があまり向上するものでない。
【課題を解決するための手段】
【００１３】
本発明のいくつかの局面、及び例示的な実施例では、通常ストリーム及びターボ・ストリームを含むデュアル伝送ストリーム（ＴＳ）に関する情報交換及びマッピングにより、新型テレビジョンシステム委員会（ＡＴＳＣ）残留側波帯（ＶＳＢ）による米国における地上波ディジタル・テレビジョン（ＤＴＶ）システムの受信特性を向上させることを目的とした、ディジタル放送伝送ストリーム（ＴＳ）をロバストに処理し、伝送する方法と、ディジタル放送送受信システムと、その信号処理方法が提供される。
【００１４】
本発明の更なる局面及び／又は利点は、部分的には、以下の明細書に記載し、部分的には前述の明細書から明らかとなるか、又は本発明の実施によって知ることができる。
【００１５】
本発明の一実施例によれば、ディジタル放送送信信号処理方法は、（ａ）通常ストリーム及びターボ・ストリームから多重化されるデュアル伝送ストリーム（ＴＳ）を符号化する工程と、（ｂ）符号化されたデュアル伝送ストリーム（ＴＳ）をインタリーブする工程と、（ｃ）インタリーブされたデュアル伝送ストリーム（ＴＳ）からターボ・ストリームを検出し、検出されたターボ・ストリームを符号化し、符号化ターボ・ストリームをデュアル伝送ストリーム（ＴＳ）に詰め込み、符号化ターボ・ストリームに対応するパリティを補償することによってターボ処理する工程と、（ｄ）ターボ処理されたデュアル伝送ストリーム（ＴＳ）をトレリス符号化する工程とを備える。
【００１６】
本発明の一局面によれば、ディジタル放送送信信号処理方法は、通常ストリーム及びターボ・ストリームを多重化することにより、デュアル伝送ストリーム（ＴＳ）を生成する工程を更に含み得る。前述のデュアル伝送ストリーム（ＴＳ）を次いで、インタリーブ前にランダム化することができる。
【００１７】
本発明の一局面によれば、デュアル伝送ストリーム（ＴＳ）は、ターボ・ストリームに対してパリティ挿入領域を設け、パリティ挿入領域を有するターボ・ストリーム、及び通常ストリームを多重化することによって生成することができる。更に、リードソロモン（ＲＳ）符号化を、外部から受け取ったターボ・ストリームに対して行うことができ、インタリーブを、ターボ・ストリームに対して実施することができる。
【００１８】
本発明の一局面によれば、動作（ｃ）は、（ｃ１）動作（ｂ）においてインタリーブされたデュアル伝送ストリーム（ＴＳ）からターボ・ストリームを検出する工程と、（ｃ２）検出ターボ・ストリームのパリティをパリティ挿入領域に挿入することにより、検出ターボ・ストリームを外符号化する工程と、（ｃ３）外符号化ターボ・ストリームをインタリーブする工程と、（ｃ４）インタリーブされたターボ・ストリームをデュアル伝送ストリーム（ＴＳ）に挿入することにより、デュアル伝送ストリームを再構成する工程と、（ｃ５）再構成デュアル伝送ストリーム（ＴＳ）のパリティを再生成し、デュアル伝送ストリーム（ＴＳ）に加える工程とを含み得る。
【００１９】
本発明の一局面によれば、動作（ｃ）は、動作（ｂ）においてインタリーブされたデュアル伝送ストリーム（ＴＳ）をバイトからシンボルに変換する工程と、動作（ｃ５）において構成されたデュアル伝送ストリーム（ＴＳ）をシンボルからバイトに変換する工程とを更に含み得る。
【００２０】
本発明の一局面によれば、ディジタル放送送信信号処理方法は、同期信号をトレリス符号化デュアル伝送ストリーム（ＴＳ）に加える工程と、同期信号を加えたデュアル伝送ストリーム（ＴＳ）を送信する工程とを更に含み得る。デュアル伝送ストリーム（ＴＳ）の送信は、同期信号を加えたデュアル伝送ストリーム（ＴＳ）にパイロットを挿入する工程と、パイロット挿入デュアル伝送ストリーム（ＴＳ）を等化する工程と、等化デュアル伝送ストリーム（ＴＳ）をＶＳＢ変調する工程と、ＶＳＢ変調デュアル伝送ストリーム（ＴＳ）を、ＲＦチャネル帯信号に変調し、変調信号を送信する工程とを含み得る。
【００２１】
本発明の一局面によれば、デュアル伝送ストリーム（ＴＳ）は、複数のパケットがつながったフィールドを含み得るものであり、ターボ・ストリームは、フィールドにおいて、予め設定された間隔で配置されたパケットに構成することが可能である。
【００２２】
本発明の別の局面によれば、デュアル伝送ストリーム（ＴＳ）は、複数のパケットがつながったフィールドを含み得るものであり、特定タイプのパケット情報が記録される任意フィールドを、フィールドにおいてターボ・ストリームと重ならない位置にあるパケットに構成することができる。任意フィールドは、番組クロック基準（ＰＣＲ）、元の番組のクロック基準（ＯＰＣＲ）、スプライス・カウントダウン、伝送プライベート・データ長、及び適応フィールド拡張長のうちの少なくとも１つを含み得る。
【００２３】
本発明の一局面によれば、デュアル伝送ストリーム（ＴＳ）は、複数のパケットがつながったフィールドを含み得るものであり、ターボ・ストリーム及び通常ストリームはそれぞれ、複数パケットに構成することができる。
【００２４】
本発明の一局面によれば、デュアル伝送ストリーム（ＴＳ）の生成は、ターボ・ストリームを受け取り、消去符号化する工程を含み得る。
【００２５】
本発明の別の実施例によれば、ディジタル放送送信信号処理方法は、（ａ）消去符号化ターボ・ストリーム及び通常ストリームから多重化されたデュアル伝送ストリーム（ＴＳ）に対して第１のパリティ挿入領域を設ける工程と、（ｂ）第１のパリティ挿入領域を有するデュアル伝送ストリーム（ＴＳ）をインタリーブする工程と、（ｃ）インタリーブされたデュアル伝送ストリーム（ＴＳ）からターボ・ストリームを検出し、検出ターボ・ストリームを符号化し、符号化ターボ・ストリームをデュアル伝送ストリーム（ＴＳ）に詰め込む工程と、（ｄ）符号化ターボ・ストリームを詰め込んだデュアル伝送ストリーム（ＴＳ）をインタリーブする工程とを備える。
【００２６】
本発明の一局面によれば、ディジタル放送送信信号処理方法は、消去符号化ターボ・ストリーム及び通常ストリームから多重化されるデュアル伝送ストリーム（ＴＳ）を生成する工程と、デュアル伝送ストリーム（ＴＳ）をランダム化する工程とを備える。
【００２７】
本発明の一局面によれば、デュアル伝送ストリーム（ＴＳ）の生成は、ターボ・ストリームを受け取り、消去符号化する工程と、消去符号化ターボ・ストリームに対して第２のパリティ挿入領域を設ける工程と、第２のパリティ挿入領域を有するターボ・ストリームと、通常ストリームとを多重化することにより、デュアル伝送ストリーム（ＴＳ）を生成する工程とを含み得る。デュアル伝送ストリーム（ＴＳ）の生成は、消去符号化ターボ・ストリームをＲＳ符号化する工程と、ターボ・ストリームをインタリーブする工程とを更に含み得る。
【００２８】
本発明の一局面によれば、動作（ｃ）は、（ｃ１）インタリーブされたデュアル伝送ストリーム（ＴＳ）からターボ・ストリーム（ＴＳ）を検出する工程と、（ｃ２）第２のパリティ挿入領域にパリティを挿入することにより、検出ターボ・ストリームを外符号化する工程と、（ｃ３）外符号化ターボ・ストリームをインタリーブする工程と、（ｃ４）インタリーブされたターボ・ストリームをデュアル伝送ストリーム（ＴＳ）に詰め込むことにより、デュアル伝送ストリーム（ＴＳ）を再構成する工程とを含み得る。
【００２９】
本発明の別の局面によれば、動作（ｃ）は、インタリーブされたデュアル伝送ストリーム（ＴＳ）をバイトからシンボルに変換する工程と、再構成デュアル伝送ストリーム（ＴＳ）をシンボルからバイトに変換する工程とを更に含み得る。  
本発明の一局面によれば、ディジタル放送送信信号処理方法は、デインタリーブされたデュアル伝送ストリーム（ＴＳ）を送信する工程を更に含み得る。デュアル伝送ストリーム（ＴＳ）の伝送は、デインタリーブされたデュアル伝送ストリーム（ＴＳ）のパリティを第１のパリティ挿入領域に挿入することにより、デインタリーブされたデュアル伝送ストリーム（ＴＳ）を符号化する工程と、符号化デュアル伝送ストリーム（ＴＳ）をインタリーブする工程と、インタリーブされたデュアル伝送ストリーム（ＴＳ）をトレリス符号化する工程と、同期信号をトレリス符号化デュアル伝送ストリーム（ＴＳ）に加える工程と、同期信号を加えたデュアル伝送ストリーム（ＴＳ）をチャネル変調し、送信する工程とを含み得る。
【００３０】
本発明の更に別の実施例によれば、ディジタル放送送信信号処理方法は、（ａ）通常ストリーム及びターボ・ストリームから変調されたデュアル伝送ストリーム（ＴＳ）を受け取り、デュアル伝送ストリーム（ＴＳ）内の詰め込み領域に補助基準信号（ＳＲＳ）を挿入する工程と、（ｂ）ＳＲＳが挿入されたデュアル伝送ストリーム（ＴＳ）を符号化する工程と、（ｃ）符号化デュアル伝送ストリーム（ＴＳ）をインタリーブする工程と、（ｄ）インタリーブされたデュアル伝送ストリーム（ＴＳ）からターボ・ストリームを検出し、検出ターボ・ストリームを符号化し、符号化ターボ・ストリームをデュアル伝送ストリーム（ＴＳ）に詰め込み、符号化ターボ・ストリームに対応するパリティを補償することにより、デュアル伝送ストリーム（ＴＳ）をターボ処理する工程と、（ｅ）ターボ処理デュアル伝送ストリーム（ＴＳ）をトレリス符号化する工程とを含む。
【００３１】
本発明の一局面によれば、ディジタル放送送信信号処理方法は、通常ストリーム及びターボ・ストリームを多重化することにより、デュアル伝送ストリーム（ＴＳ）を生成する工程と、デュアル伝送ストリーム（ＴＳ）をランダム化する工程とを更に含み得る。
【００３２】
本発明の一局面によれば、デュアル伝送ストリーム（ＴＳ）は、ターボ・ストリームに対してパリティ挿入領域を設け、パリティ挿入領域を有するターボ・ストリーム、及び通常ストリームを多重化することによって生成することができる。デュアル伝送ストリーム（ＴＳ）の生成は、外部から受け取られたターボ・ストリームをＲＳ符号化する工程と、ターボ・ストリームをインタリーブする工程とを更に含み得る。
【００３３】
本発明の一局面によれば、動作（ｄ）は、（ｄ１）インタリーブされたデュアル伝送ストリーム（ＴＳ）からターボ・ストリームを検出する工程と、（ｄ２）検出ターボ・ストリームのパリティをパリティ挿入領域に挿入することにより、ターボ・ストリームを外符号化する工程と、（ｄ３）外符号化ターボ・ストリームをインタリーブする工程と、（ｄ４）インタリーブされたターボ・ストリームをデュアル伝送ストリーム（ＴＳ）に挿入することにより、デュアル伝送ストリーム（ＴＳ）を再構成する工程と、（ｄ５）再構成デュアル伝送ストリーム（ＴＳ）のパリティを再生成し、デュアル伝送ストリーム（ＴＳ）に加える工程とを含み得る。
【００３４】
本発明の一局面によれば、動作（ｄ）は、インタリーブされたデュアル伝送ストリーム（ＴＳ）をバイトからシンボルに変換する工程と、再生成されたパリティを有するデュアル伝送ストリーム（ＴＳ）をシンボルからバイトに変換する工程とを更に含み得る。
【００３５】
本発明の一局面によれば、ディジタル放送送信信号処理方法は、同期信号をトレリス符号化デュアル伝送ストリーム（ＴＳ）に加える工程と、同期信号を有するデュアル伝送ストリーム（ＴＳ）を送信する工程とを更に含み得る。デュアル伝送ストリーム（ＴＳ）の送信は、同期信号を加えたデュアル伝送ストリーム（ＴＳ）にパイロットを挿入する工程と、パイロット挿入デュアル伝送ストリーム（ＴＳ）を等化する工程と、等化デュアル伝送ストリーム（ＴＳ）をＶＳＢ変調する工程と、ＶＳＢ変調デュアル伝送ストリーム（ＴＳ）を、ＲＦチャネル帯信号に変調し、変調デュアル伝送ストリーム（ＴＳ）を送信する工程とを含み得る。デュアル伝送ストリーム（ＴＳ）の生成は、ターボ・ストリームを受信し、消去符号化する工程を含み得る。
【００３６】
本発明の一局面によれば、動作（ｅ）は、トレリス符号化を行うためにトレリス符号器を初期化する工程と、トレリス符号器に予め記憶された値に対応する初期化値に関して、パリティを用いてデュアル伝送ストリーム（ＴＳ）のパリティを補償する工程とを含み得る。
【００３７】
本発明の更に別の実施例によれば、ディジタル放送送信信号処理方法は、（ａ）消去符号化ターボ・ストリーム及び通常ストリームから多重化されたデュアル伝送ストリーム（ＴＳ）を生成する工程と、（ｂ）デュアル伝送ストリーム（ＴＳ）内の詰め込み領域にＳＲＳを挿入する工程と、（ｃ）ＳＲＳ挿入デュアル伝送ストリーム（ＴＳ）において第１のパリティ挿入領域を設ける工程と、（ｄ）第１のパリティ挿入領域を有するデュアル伝送ストリーム（ＴＳ）をインタリーブする工程と、（ｅ）インタリーブされた伝送ストリーム（ＴＳ）からターボ・ストリームを検出し、検出ターボ・ストリームを符号化し、符号化ターボ・ストリームをデュアル伝送ストリーム（ＴＳ）に詰め込むことにより、デュアル伝送ストリーム（ＴＳ）をターボ処理する工程と、（ｆ）ターボ処理デュアル伝送ストリーム（ＴＳ）をデインタリーブする工程とを含む。
【００３８】
本発明の一局面によれば、ディジタル放送送信信号処理方法は、生成されたデュアル伝送ストリーム（ＴＳ）をランダム化する工程を更に含み得る。
【００３９】
本発明の一局面によれば、動作（ａ）は、ターボ・ストリームを受け取り、消去符号化する工程と、消去符号化ターボ・ストリームにおいて第２のパリティ挿入領域を設ける工程と、第２のパリティ挿入領域を有するターボ・ストリームと、通常ストリームとを多重化することにより、デュアル伝送ストリーム（ＴＳ）を生成する工程とを含み得る。動作（ａ）は、消去符号化ターボ・ストリームをＲＳ符号化する工程と、ターボ・ストリームをインタリーブする工程とを含み得る。
【００４０】
本発明の一局面によれば、動作（ｅ）は、（ｅ１）インタリーブされたデュアル伝送ストリーム（ＴＳ）からターボ・ストリームを検出する工程と、（ｅ２）検出ターボ・ストリームのパリティを第２のパリティ挿入領域に挿入することにより、ターボ・ストリームを外符号化する工程と、（ｅ３）外符号化ターボ・ストリームをインタリーブする工程と、（ｅ４）インタリーブされたターボ・ストリームをデュアル伝送ストリーム（ＴＳ）に詰め込むことにより、デュアル伝送ストリーム（ＴＳ）を再構成する工程とを含み得る。  
本発明の別の局面によれば、動作（ｅ）は、インタリーブされたデュアル伝送ストリーム（ＴＳ）をバイトからシンボルに変換する工程と、再構成デュアル伝送ストリーム（ＴＳ）をシンボルからバイトに変換する工程とを含み得る。
【００４１】
本発明の一局面によれば、ディジタル放送送信信号処理方法は、デインタリーブされたデュアル伝送ストリーム（ＴＳ）を送信する工程を更に含み得る。デュアル伝送ストリーム（ＴＳ）の伝送は、デインタリーブされたデュアル伝送ストリーム（ＴＳ）のパリティを第１のパリティ挿入領域に挿入することにより、デュアル伝送ストリーム（ＴＳ）を符号化する工程と、符号化デュアル伝送ストリーム（ＴＳ）をインタリーブする工程と、インタリーブされたデュアル伝送ストリーム（ＴＳ）をトレリス符号化する工程と、同期信号をトレリス符号化デュアル伝送ストリーム（ＴＳ）に加える工程と、同期信号を加えたデュアル伝送ストリームをチャネル変調し、送信する工程とを含み得る。
【００４２】
本発明の一局面によれば、トレリス符号化は、トレリス符号化を行うためにトレリス符号器を初期化する工程と、トレリス符号器に予め記憶された値に対応する初期化値に関して、パリティを用いてデュアル伝送ストリーム（ＴＳ）のパリティを補償する工程とを含み得る。
【００４３】
本発明の一実施例によれば、ディジタル放送送信システムは、通常ストリーム及びターボ・ストリームから多重化されたデュアル伝送ストリーム（ＴＳ）を符号化するＲＳ符号器と、ＲＳ符号器において符号化されたデュアル伝送ストリーム（ＴＳ）をインタリーブするインタリーブ器と、インタリーブ器においてインタリーブされたデュアル伝送ストリーム（ＴＳ）からターボ・ストリームを検出し、検出ターボ・ストリームを符号化し、符号化ターボ・ストリームをデュアル伝送ストリーム（ＴＳ）に詰め込み、符号化ターボ・ストリームに対応するパリティを補償するターボ・プロセッサと、ターボ・プロセッサにおいて処理されたデュアル伝送ストリーム（ＴＳ）をトレリス符号化するトレリス符号器ブロックとを備える。
【００４４】
本発明の一局面によれば、ディジタル放送送信システムは、通常ストリーム、及びターボ・ストリームを多重化することにより、デュアル伝送ストリーム（ＴＳ）を生成するＴＳ生成器を更に備え得る。
【００４５】
本発明の一局面によれば、ディジタル放送送信システムは、ＴＳ生成器において生成されたデュアル伝送ストリーム（ＴＳ）をランダム化し、ランダム化デュアル伝送ストリーム（ＴＳ）をＲＳ符号器に供給するランダム化器を更に備え得る。
【００４６】
本発明の一局面によれば、ＴＳ生成器は、ターボ・ストリームに対してパリティ挿入領域を設けるデュプリケータと、通常ストリームを受け取り、デュプリケータにおいて処理されたターボ・ストリームと、通常ストリームを多重化することにより、デュアル伝送ストリーム（ＴＳ）を生成するサービス多重化器（ＭＵＸ）とを含み得る。
【００４７】
本発明の別の局面によれば、ＴＳ生成器は、ターボ・ストリームを受け取り、ＲＳ符号化し、ＲＳ符号化ターボ・ストリームをデュプリケータに供給するＲＳ符号器と、ターボ・ストリームをインタリーブするインタリーブ器とを備え得る。
【００４８】
本発明の一局面によれば、ターボ・プロセッサは、インタリーブされたデュアル伝送ストリーム（ＴＳ）からターボ・ストリームを検出するターボ・ストリーム検出器と、検出ターボ・ストリームのパリティをパリティ挿入領域に挿入する外符号器と、外符号器において処理されたターボ・ストリームをインタリーブする外インタリーブ器と、インタリーブされたターボ・ストリームをデュアル伝送ストリーム（ＴＳ）に挿入することにより、デュアル伝送ストリーム（ＴＳ）を再構成するターボ・ストリーム詰め込み器と、再構成デュアル伝送ストリーム（ＴＳ）のパリティを再生成し、デュアル伝送ストリーム（ＴＳ）に加えるパリティ補償器とを備え得る。
【００４９】
本発明の一局面によれば、ターボ・プロセッサは、インタリーブ器においてインタリーブされたデュアル伝送ストリーム（ＴＳ）をバイトからシンボルに変換するバイトシンボル変換器と、パリティ補償器において処理されたデュアル伝送ストリーム（ＴＳ）をシンボルからバイトに変換するシンボルバイト変換器とを更に備え得る。
【００５０】
本発明の一局面によれば、ディジタル放送送信システムは、同期信号をトレリス符号化デュアル伝送ストリーム（ＴＳ）に加えるＭＵＸと、同期信号を加えたデュアル伝送ストリーム（ＴＳ）を送信する送信器とを更に備え得る。
【００５１】
本発明の一局面によれば、送信器は、同期信号を加えたデュアル伝送ストリーム（ＴＳ）にパイロットを挿入するパイロット挿入器と、パイロット挿入デュアル伝送ストリーム（ＴＳ）を等化する前置等化器と、等化デュアル伝送ストリーム（ＴＳ）をＶＳＢ変調するＶＳＢ変調器と、ＶＳＢ変調デュアル伝送ストリーム（ＴＳ）をＲＦチャネル帯の信号に変調するＲＦ変調器とを備え得る。
【００５２】
本発明の一局面によれば、ＴＳ生成器は、ターボ・ストリームを受け取り、消去符号化する消去符号器を含み得る。
【００５３】
本発明の別の実施例によれば、ディジタル放送送信システムは、消去符号化ターボ・ストリーム及び通常ストリームを多重化することにより、デュアル伝送ストリーム（ＴＳ）を生成するＴＳ生成器と、デュアル伝送ストリーム（ＴＳ）からターボ・ストリームを検出し、検出ターボ・ストリームを符号化し、符号化ターボ・ストリームをデュアル伝送ストリーム（ＴＳ）に詰め込み、デュアル伝送ストリーム（ＴＳ）を出力する励起器とを備える。
【００５４】
本発明の一局面によれば、励起器は、ＴＳ生成器において生成されたデュアル伝送ストリーム（ＴＳ）をランダム化するランダム化器と、ランダム化デュアル伝送ストリーム（ＴＳ）に第１のパリティ挿入領域を設けるパリティ生成器と、第１のパリティ挿入領域を有するデュアル伝送ストリーム（ＴＳ）をインタリーブする第１のインタリーブ器と、インタリーブされたデュアル伝送ストリーム（ＴＳ）からターボ・ストリームを検出し、検出ターボ・ストリームを符号化し、符号化ターボ・ストリームをデュアル伝送ストリームに詰め込むターボ・プロセッサと、符号化ターボ・ストリームで詰め込まれたデュアル伝送ストリーム（ＴＳ）をデインタリーブするデインタリーブ器と、デインタリーブされたデュアル伝送ストリーム（ＴＳ）を送信する送信器とを含み得る。
【００５５】
本発明の一局面によれば、ＴＳ生成器は、ターボ・ストリームを受け取り、消去符号化する消去符号器と、消去符号化ターボ・ストリームに対して第２のパリティ挿入領域を設けるデュプリケータと、第２のパリティ挿入領域を有するターボ・ストリームと、通常ストリームとを多重化することにより、デュアル伝送ストリーム（ＴＳ）を生成するサービスＭＵＸとを備え得る。ＴＳ生成器は、消去符号化ターボ・ストリームをＲＳ符号化する第１のＲＳ符号器と、ＲＳ符号化ターボ・ストリームをインタリーブするインタリーブ器とを更に備え得る。
【００５６】
本発明の一局面によれば、ターボ・プロセッサは、インタリーブされたデュアル伝送ストリーム（ＴＳ）からのターボ・ストリームを検出するＴＸ逆多重化器（ＤＥ−ＭＵＸ）と、検出ターボ・ストリームのパリティを第２のパリティ挿入領域に挿入する外符号器と、パリティ挿入ターボ・ストリームをインタリーブする外インタリーブ器と、インタリーブされたターボ・ストリームをデュアル伝送ストリーム（ＴＳ）に詰め込むことにより、デュアル伝送ストリーム（ＴＳ）を再構成するＴＳ  ＭＵＸとを備え得る。ターボ・プロセッサは、インタリーブされたデュアル伝送ストリーム（ＴＳ）をバイトからシンボルに変換するバイトシンボル変換器と、再構成デュアル伝送ストリーム（ＴＳ）をシンボルからバイトに変換するシンボルバイト変換器とを更に備え得る。
【００５７】
本発明の一局面によれば、送信器は、デュアル伝送ストリーム（ＴＳ）のパリティを第１のパリティ挿入領域に挿入することにより、デインタリーブされたデュアル伝送ストリーム（ＴＳ）を符号化する第２のＲＳ符号器と、符号化デュアル伝送ストリーム（ＴＳ）をインタリーブする第２のインタリーブ器と、インタリーブされたデュアル伝送ストリーム（ＴＳ）をトレリス符号化するトレリス符号器と、トレリス符号化デュアル伝送ストリーム（ＴＳ）に同期信号を加えるＭＵＸと、同期信号を加えたデュアル伝送ストリーム（ＴＳ）をチャネル変調し、チャネル変調デュアル伝送ストリーム（ＴＳ）を送信する変調器とを備え得る。
【００５８】
本発明の更に別の実施例によれば、ディジタル放送送信システムは、通常ストリーム及びターボ・ストリームから多重化されたデュアル伝送ストリーム（ＴＳ）を受け取り、デュアル伝送ストリーム（ＴＳ）に設けられた詰め込み領域にＳＲＳを挿入するＳＲＳ挿入器と、ＳＲＳが挿入されたデュアル伝送ストリーム（ＴＳ）を符号化する符号器と、符号化デュアル伝送ストリーム（ＴＳ）をインタリーブするインタリーブ器と、インタリーブされたデュアル伝送ストリーム（ＴＳ）からターボ・ストリームを検出し、検出ターボ・ストリームを符号化し、符号化ターボ・ストリームをデュアル伝送ストリーム（ＴＳ）に詰め込み、符号化ターボ・ストリームに対応するパリティを補償するターボ・プロセッサと、ターボ・プロセッサにおいて処理されたデュアル伝送ストリーム（ＴＳ）をトレリス符号化するトレリス／パリティ訂正器とを備える。
【００５９】
本発明の一局面によれば、ディジタル放送送信システムは、通常ストリーム及びターボ・ストリームを多重化することにより、デュアル伝送ストリーム（ＴＳ）を生成するＴＳ生成器を更に備え得る。
【００６０】
本発明の一局面によれば、ディジタル放送送信システムは、ＴＳ生成器において生成されたデュアル伝送ストリーム（ＴＳ）をランダム化し、ランダム化デュアル伝送ストリーム（ＴＳ）をＳＲＳ挿入器に供給するランダム化器を更に備え得る。
【００６１】
本発明の一局面によれば、ＴＳ生成器は、ターボ・ストリームを受け取り、パリティ挿入領域を設けるデュプリケータと、パリティ挿入領域を有するターボ・ストリーム、及び通常ストリームを多重化することにより、デュアル伝送ストリーム（ＴＳ）を生成するサービスＭＵＸとを含み得る。ＴＳ生成器は、ターボ・ストリームを受け取り、符号化するＲＳ符号器と、符号化ターボ・ストリームをインタリーブし、インタリーブされたターボ・ストリームをデュプリケータに供給するインタリーブ器とを更に備え得る。
【００６２】
本発明の一局面によれば、ターボ・プロセッサは、インタリーブされたデュアル伝送ストリーム（ＴＳ）からターボ・ストリームを検出するターボ・ストリーム検出器と、検出ターボ・ストリームのパリティをパリティ挿入領域に挿入する外符号器と、パリティ挿入ターボ・ストリームをインタリーブする外インタリーブ器と、インタリーブされたターボ・ストリームをデュアル伝送ストリーム（ＴＳ）に挿入することにより、デュアル伝送ストリーム（ＴＳ）を再構成するターボ・ストリーム詰め込み器と、再構成デュアル伝送ストリーム（ＴＳ）のパリティを再生成し、デュアル伝送ストリーム（ＴＳ）に加えるパリティ補償器とを備え得る。
【００６３】
本発明の一局面によれば、ターボ・プロセッサは、インタリーブされたデュアル伝送ストリーム（ＴＳ）をバイトからシンボルに変換するバイトシンボル変換器と、パリティ補償器において再構成パリティが加えられたデュアル伝送ストリーム（ＴＳ）をシンボルからバイトに変換するシンボルバイト変換器とを更に備え得る。
【００６４】
本発明の一局面によれば、ディジタル放送送信システムは、同期信号をトレリス符号化デュアル伝送ストリーム（ＴＳ）に加えるＭＵＸと、同期信号を加えたデュアル伝送ストリーム（ＴＳ）を送信する送信器とを更に含み得る。
【００６５】
本発明の一局面によれば、送信器は、同期信号を加えたデュアル伝送ストリーム（ＴＳ）にパイロットを挿入するパイロット挿入器と、パイロット挿入デュアル伝送ストリーム（ＴＳ）を等化する前置等化器と、等化デュアル伝送ストリーム（ＴＳ）をＶＳＢ変調するＶＳＢ変調器と、ＶＳＢ変調デュアル伝送ストリーム（ＴＳ）をＲＦチャネル帯信号に変調し、変調デュアル伝送ストリーム（ＴＳ）を送信するＲＦ変調器とを含み得る。
【００６６】
本発明の別の局面によれば、ＴＳ生成器は、ターボ・ストリームを受け取り、消去符号化する消去符号器を含み得る。
【００６７】
本発明の一局面によれば、トレリス／パリティ訂正器は、ＳＲＳの符号化前に初期化に進み、初期化によって変更される値によってパリティを補償することができる。トレリス／パリティ訂正器は、初期化期間に対応する外部制御信号が受け取られると初期化を行い、予め記憶された値を初期化値として出力するトレリス符号器ブロックと、初期化値に対応するパリティを生成するＲＳ再符号器と、ＲＳ再符号器において生成されたパリティと、デュアル伝送ストリーム（ＴＳ）とを加えることにより、デュアル伝送ストリーム（ＴＳ）のパリティを訂正する加算器とを備え得る。
【００６８】
トレリス／パリティ訂正器は、トレリス符号器ブロックに対する、加算器によって訂正されたパリティを有するデュアル伝送ストリーム（ＴＳ）用のＭＵＸと、トレリス符号器ブロックにおいてトレリス符号化されたデュアル伝送ストリーム（ＴＳ）をシンボル・マッピングし、出力するマップとを更に備え得る。
【００６９】
本発明の一局面によれば、トレリス符号器ブロックは、複数の符号器を更に含み得る。トレリス符号器は、特定の値を記憶する複数のメモリと、ＳＲＳの入力前に配置された２つのビットのうちの一方を受け取り、出力し、外部制御信号が受け取られると、複数のメモリのうちの第１のメモリに記憶された値を選択し、出力する第１のＭＵＸと、第１のＭＵＸからの出力値と、第１のメモリに記憶された値とを加えることにより出力し、出力値を第１のメモリに記憶する第１の加算器と、ＳＲＳの入力前に配置された２つのビットのうちの他方を受け取り、出力し、外部制御信号が受け取られると、複数のメモリのうちの第２のメモリに記憶された値を選択し、出力する第２のＭＵＸと、第２のＭＵＸの出力値と、第１のメモリに記憶された値とを加え、結果値を複数のメモリのうちの第３のメモリに記憶する第２の加算器とを備え得る。第３のメモリに予め記憶された値はシフトさせられ、第２のメモリに記憶され、第１のメモリに予め記憶された値、及び第２のメモリに予め記憶された値は、初期化値としてＲＳ再符号器に供給される。
【００７０】
本発明の更に別の実施例によれば、ディジタル放送送信システムは、消去符号化ターボ・ストリーム及び通常ストリームから多重化されたデュアル伝送ストリーム（ＴＳ）を生成するＴＳ生成器と、デュアル伝送ストリーム（ＴＳ）をランダム化するランダム化器と、ランダム化デュアル伝送ストリーム（ＴＳ）に設けられた詰め込み領域にＳＲＳを挿入するＳＲＳ挿入器と、ＳＲＳ挿入デュアル伝送ストリーム（ＴＳ）において第１のパリティ挿入領域を設けるパリティ生成器と、第１のパリティ挿入領域を有するデュアル伝送ストリーム（ＴＳ）をインタリーブするインタリーブ器と、インタリーブされたデュアル伝送ストリーム（ＴＳ）からターボ・ストリームを検出し、検出ターボ・ストリームを符号化し、符号化ターボ・ストリームをデュアル伝送ストリーム（ＴＳ）に詰め込むターボ・プロセッサと、ターボ・プロセッサにおいて処理されたデュアル伝送ストリーム（ＴＳ）をデインタリーブするデインタリーブ器とを備える。
【００７１】
本発明の一局面によれば、ＴＳ生成器は、ターボ・ストリームを受け取り、消去符号化する消去符号器と、消去符号化ターボ・ストリームに対して第２のパリティ挿入領域を設けるデュプリケータと、第２のパリティ挿入領域を有するターボ・ストリームと、通常ストリームとを多重化することにより、デュアル伝送ストリーム（ＴＳ）を生成するサービスＭＵＸとを備え得る。ＴＳ生成器は、消去符号化ターボ・ストリームをＲＳ符号化する第１のＲＳ符号器と、ターボ・ストリームをインタリーブするインタリーブ器とを更に備え得る。
【００７２】
本発明の一局面によれば、ターボ・プロセッサは、インタリーブされたデュアル伝送ストリーム（ＴＳ）からターボ・ストリームを検出するターボ・ストリーム検出器と、検出ターボ・ストリームのパリティを第２のパリティ挿入領域に挿入する外符号器と、外符号化ターボ・ストリームをインタリーブする外インタリーブ器と、インタリーブされたターボ・ストリームをデュアル伝送ストリーム（ＴＳ）に詰め込むことにより、デュアル伝送ストリーム（ＴＳ）を再構成するターボ・ストリーム詰め込み器とを備え得る。ターボ・プロセッサは、インタリーブされたデュアル伝送ストリーム（ＴＳ）をバイトからシンボルに変換するバイトシンボル変換器と、再構成デュアル伝送ストリーム（ＴＳ）をシンボルからバイトに変換するシンボルバイト変換器とを更に備え得る。
【００７３】
本発明の一局面によれば、ディジタル放送伝送システムは、デインタリーブされたデュアル伝送ストリーム（ＴＳ）を送信する送信器を更に備え得る。
【００７４】
本発明の一局面によれば、送信器は、デインタリーブされたデュアル伝送ストリーム（ＴＳ）を第１のパリティ挿入領域に挿入することにより、デュアル伝送ストリーム（ＴＳ）を符号化する第２のＲＳ符号器と、符号化デュアル伝送ストリーム（ＴＳ）をインタリーブする第２のインタリーブ器と、インタリーブされたデュアル伝送ストリーム（ＴＳ）をトレリス符号化するトレリス符号器ブロックと、トレリス符号化デュアル伝送ストリーム（ＴＳ）に同期信号を加えるＭＵＸと、同期信号を加えたデュアル伝送システム（ＴＳ）をチャネル変調し、送信する変調器とを備え得る。
【００７５】
本発明の一局面によれば、トレリス／パリティ訂正器は、ＳＲＳの符号化前に初期化に進み、初期化によって変更される値によってパリティを補償することができる。トレリス／パリティ訂正器は、初期化期間に対応する外部制御信号が受け取られると初期化を行い、予め記憶された値を初期化値として出力するトレリス符号器ブロックと、初期化値に対応するパリティを生成するＲＳ再符号器と、ＲＳ再符号器において生成されたパリティと、デュアル伝送ストリーム（ＴＳ）とを加えることにより、デュアル伝送ストリーム（ＴＳ）のパリティを訂正する加算器とを備え得る。
【００７６】
本発明の一局面によれば、トレリス／パリティ訂正器は、加算器によって訂正されたパリティを有するデュアル伝送ストリーム（ＴＳ）をトレリス符号器ブロックに供給するＭＵＸと、トレリス符号器ブロックにおいてトレリス符号化されるデュアル伝送ストリーム（ＴＳ）をシンボル・マッピングし、出力するマップとを更に備え得る。
【００７７】
本発明の一局面によれば、トレリス符号器ブロックは、複数の符号器を備え得る。トレリス符号器は、特定の値を記憶する複数のメモリと、ＳＲＳの入力前に配置された２つのビットのうちの一方を受け取り、出力し、外部制御信号が受け取られると、複数のメモリのうちの第１のメモリに記憶された値を選択し、出力する第１のＭＵＸと、第１のＭＵＸの出力値と、第１のメモリに記憶された値とを加えることによる結果値を出力し、出力値を第１のメモリに記憶する第１の加算器と、ＳＲＳの入力前に配置された２つのビットのうちの他方を受け取り、出力し、外部制御信号が受け取られると、複数のメモリのうちの第２のメモリに記憶された値を選択し、出力する第２のＭＵＸと、第２のＭＵＸの出力値と、第１のメモリに記憶された値とを加え、結果値を複数のメモリのうちの第３のメモリに記憶する第２の加算器とを備え得る。第３のメモリに予め記憶された値は、シフトさせられ、第２のメモリに記憶され、第１のメモリに予め記憶された値、及び第２のメモリに予め記憶された値は、初期化値としてＲＳ再符号器に供給される。
【００７８】
本発明の更に別の実施例によれば、トレリス符号化装置は、複数のメモリを有し、メモリに記憶された値を用いて伝送ストリーム（ＴＳ）をトレリス符号化し、外部制御信号が入力されると初期化を行うトレリス符号器ブロックと、初期化が行われると、トレリス符号器ブロックのメモリに予め記憶された値に対応するパリティを生成するＲＳ再符号器と、ＲＳ再符号器において生成されるパリティと、伝送ストリーム（ＴＳ）とを加えることにより、伝送ストリーム（ＴＳ）のパリティを訂正する加算器とを備える。
【００７９】
本発明の一局面によれば、トレリス符号化装置は、加算器によって訂正されたパリティを有する伝送ストリーム（ＴＳ）をトレリス符号器ブロックに供給するＭＵＸと、トレリス符号器ブロックにおいてトレリス符号化される伝送ストリーム（ＴＳ）をシンボル・マッピングし、出力するマップとを更に備え得る。
【００８０】
本発明の一局面によれば、トレリス符号器ブロックは、複数のトレリス符号器を更に備え得る。トレリス符号器は、特定の値を記憶する複数のメモリと、伝送ストリーム（ＴＳ）の特定領域における２つのビットのうちの一方を受け取り、出力し、外部制御信号が受け取られると、複数のメモリのうちの第１のメモリに記憶された値を選択し、出力する第１のＭＵＸと、第１のＭＵＸの出力値と、第１のメモリに記憶された値とを加えることによる結果値を出力し、出力値を第１のメモリに記憶する第１の加算器と、伝送ストリーム（ＴＳ）の特定領域における２つのビットのうちの他方を受け取り、出力し、外部制御信号が受け取られると、複数のメモリのうちの第２のメモリに記憶された値を選択し、出力する第２のＭＵＸと、第２のＭＵＸの出力値と、第１のメモリに記憶された値とを加え、結果値を複数のメモリのうちの第３のメモリに記憶する第２の加算器とを備え得る。第３のメモリに予め記憶された値は、シフトさせられ、第２のメモリに記憶され、第１のメモリに予め記憶された値、及び第２のメモリに予め記憶された値は、初期化値としてＲＳ再符号器に供給される。
【００８１】
本発明の一局面によれば、伝送ストリーム（ＴＳ）は、ＳＲＳ、通常ストリーム、及びターボ・ストリームを含むデュアル伝送ストリーム（ＴＳ）であり得る。初期化は、ＳＲＳのトレリス符号化の直前に行うことができる。
【００８２】
本発明の更に別の実施例によれば、ディジタル放送受信システムは、消去符号化ターボ・ストリーム及び通常ストリームを含むデュアル伝送ストリーム（ＴＳ）を受け取り、復調する復調器と、復調デュアル伝送・ストリーム（ＴＳ）を等化する等化器と、等化デュアル伝送ストリーム（ＴＳ）の通常ストリームを復号化することにより、通常データ・パケットを出力する第１のプロセッサと、等化デュアル伝送ストリーム（ＴＳ）のターボ・ストリームを復号化することにより、ターボ・ストリーム・パケットを回復し、回復させたターボ・ストリームを消去復号化する第２のプロセッサとを備える。
【００８３】
本発明の一局面によれば、第１のプロセッサは、等化デュアル伝送ストリーム（ＴＳ）の通常ストリームに対する誤り訂正を行い、誤り訂正された通常ストリームを復号化するビタビ復号器と、ビタビ復号器によって復号化された通常ストリームをデインタリーブする第１のデインタリーブ器と、第１のデインタリーブ器で処理された通常ストリームの誤りを訂正する第１のＲＳ復号器と、誤り訂正された通常ストリームをデランダム化することにより、通常のデータ・パケットを回復するデランダム化器とを備え得る。
【００８４】
本発明の一局面によれば、第２のプロセッサは、等化デュアル伝送ストリーム（ＴＳ）のターボ・ストリームをターボ復号化するターボ復号器と、ターボ復号化ターボ・ストリームをデインタリーブする第２のデインタリーブ器と、デインタリーブされたターボ・ストリームからパリティを除去するパリティ除去器と、パリティ除去ターボ・ストリームをデランダム化するデランダム化器と、デランダム化ターボ・ストリームを逆多重化することにより、ターボ・ストリーム・パケットを回復するターボＤＥ−ＭＵＸと、回復ターボ・ストリーム・パケットを消去復号化する消去復号器とを備え得る。
【００８５】
本発明の一局面によれば、ターボ復号器は、等化デュアル伝送ストリーム（ＴＳ）のターボ・ストリームをトレリス復号化するトレリス復号器と、トレリス復号化ターボ・ストリームをデインタリーブする外デインタリーブ器と、デインタリーブされたターボ・ストリームを復号化する外マップ復号器と、外マップ復号器において復号化されたターボ・ストリームをインタリーブし、軟判定が外マップ復号器から出力された場合、インタリーブされたターボ・ストリームをトレリス復号器に供給する外インタリーブ器と、外マップ復号器の硬判定出力値をフレーム・フォーマッティングするフレーム・フォーマッタと、フレーム・フォーマッティングされたターボ・ストリームをシンボルからバイトに変換するシンボル・デインタリーバとを備え得る。
【００８６】
本発明の別の実施例によれば、ディジタル放送受信システムは、ターボ・ストリーム及び通常ストリームを含むデュアル伝送ストリーム（ＴＳ）を受け取り、復調する復調器と、復調デュアル伝送ストリーム（ＴＳ）を等化する等化器と、等化デュアル伝送ストリーム（ＴＳ）の通常ストリームを復号化するビタビ復号器と、等化デュアル伝送ストリーム（ＴＳ）のターボ・ストリームを復号化するターボ復号器と、ターボ復号器において復号化されたターボ・ストリームをデュアル伝送ストリーム（ＴＳ）に挿入するターボ挿入器と、ターボ挿入器で処理されたデュアル伝送ストリーム（ＴＳ）をデインタリーブするデインタリーブ器と、デインタリーブされたデュアル伝送ストリーム（ＴＳ）をＲＳ復号化するＲＳ復号器と、ＲＳ復号化デュアル伝送ストリーム（ＴＳ）をデランダム化するデランダム化器と、デュアルＴＳを逆多重化することにより、通常ストリーム・パケット及びターボ・ストリーム・パケットを回復するターボＤＥ−ＭＵＸとを備える。
【００８７】
本発明の一局面によれば、ターボ復号器は、等化デュアル伝送ストリーム（ＴＳ）のターボ・ストリームをトレリス復号化するトレリス復号器と、トレリス復号化ターボ・ストリームをデインタリーブする外デインタリーブ器と、デインタリーブされたターボ・ストリームを復号化する外マップ復号器と、外マップ復号器において復号化されたターボ・ストリームをインタリーブし、軟判定が外マップ復号器から出力された場合、インタリーブされたターボ・ストリームをトレリス復号器に供給する外インタリーブ器と、外マップ復号器の硬判定出力値をフレーム・フォーマッティングするフレーム・フォーマッタと、フレーム・フォーマッティングされたターボ・ストリームをシンボルからバイトに変換し、変換ターボ・ストリームをターボ挿入器に供給するシンボル・デインタリーブ器とを備え得る。
【００８８】
本発明の一局面によれば、ターボＤＥ−ＭＵＸは、デュアル伝送ストリーム（ＴＳ）を逆多重化することにより、通常ストリーム及びターボ・ストリームを出力するＴＳ  ＤＥ−ＭＵＸと、ＴＳ  ＤＥ−ＭＵＸから出力された通常ストリームに同期信号を挿入し、通常ストリームを出力する第１のＳＹＮＣ挿入器と、ＴＳ  ＤＥ−ＭＵＸから出力されたターボ・ストリームをデインタリーブするデインタリーブ器と、デインタリーブされたターボ・ストリームにおける空き領域を除去するコンデンサと、空き領域が除去されるターボ・ストリームをＲＳ復号化するＲＳ復号器と、ＲＳ復号化ターボ・ストリームに同期信号を挿入し、ターボ・ストリームを出力する第２のＳＹＮＣ挿入器とを備え得る。
【００８９】
本発明の別の局面によれば、ターボＤＥ−ＭＵＸは、デュアル伝送ストリーム（ＴＳ）を逆多重化することにより、通常ストリーム及びターボ・ストリームを出力するＴＳ  ＤＥ−ＭＵＸと、ＴＳ  ＤＥ−ＭＵＸから出力された通常ストリームに同期信号を挿入し、通常ストリームを出力するＳＹＮＣ挿入器と、ＴＳ  ＤＥ−ＭＵＸから出力されたターボ・ストリームをデインタリーブするデインタリーブ器と、デインタリーブされたターボ・ストリームにおける空き領域を除去するコンデンサと、空き領域が除去されるターボ・ストリームから同期信号を検出するＳＹＮＣ検出器と、検出同期信号からのターボ・ストリームを特定の長さだけ、ＲＳ復号化し、出力するＲＳ復号器とを備え得る。
【００９０】
本発明の一局面では、ディジタル放送受信システムは、ターボＤＥ−ＭＵＸにおいて回復されたターボ・ストリーム・パケットを消去復号化する消去復号器を更に備え得る。
【００９１】
本発明の更に別の実施例によれば、ディジタル放送受信信号処理方法は、（ａ）消去符号化ターボ・ストリーム及び通常ストリームを含むデュアル伝送ストリーム（ＴＳ）を受け取り、復調する工程と、（ｂ）復調デュアル伝送ストリーム（ＴＳ）を等化する工程と、（ｃ）等化デュアル伝送ストリーム（ＴＳ）の通常ストリームを復号化することにより、通常のデータ・パケットを出力する工程と、（ｄ）等化デュアル伝送ストリーム（ＴＳ）のターボ・ストリームを復号化することにより、ターボ・ストリーム・パケットを回復し、回復させたターボ・ストリームを消去復号化する工程とを含む。
【００９２】
本発明の一局面によれば、動作（ｃ）は、等化デュアル伝送ストリーム（ＴＳ）の通常ストリームの誤りを訂正し、誤り訂正された通常ストリームを復号化する工程と、復号化された通常ストリームをデインタリーブする工程と、デインタリーブされた通常ストリームの誤りを訂正するようＲＳ復号化する工程と、誤り訂正された通常ストリームをデランダム化することにより、通常データ・パケットを回復する工程とを備え得る。
【００９３】
本発明の一局面によれば、動作（ｄ）は、等化デュアル伝送ストリーム（ＴＳ）のターボ・ストリームをターボ復号化する工程と、ターボ復号化ターボ・ストリームをデインタリーブする工程と、デインタリーブされたターボ・ストリームからパリティを除去する工程と、パリティ除去されたターボ・ストリームをデランダム化する工程と、デランダム化ターボ・ストリームを逆多重化することにより、ターボ・ストリーム・パケットを回復する工程と、回復されたターボ・ストリーム・パケットを消去復号化する工程とを含み得る。
【００９４】
本発明の一局面によれば、ターボ復号化は、（ｄ１）等化デュアル伝送ストリーム（ＴＳ）のターボ・ストリームをトレリス復号化する工程と、（ｄ２）トレリス復号化ターボ・ストリームをデインタリーブする工程と、（ｄ３）デインタリーブされたターボ・ストリームを復号化する工程と、（ｄ４）硬判定が復号化処理において出力された場合、硬判定出力値をフレーム・フォーマッティングする工程と、（ｄ５）フレーム・フォーマッティングされたターボ・ストリームをシンボルからバイトに変換する工程とを含み得る。動作（ｄ１）乃至（ｄ３）は、硬判定が復号化処理において出力されるまで反復される。
【００９５】
本発明の更に別の実施例によれば、ディジタル放送受信信号処理方法は、（ａ）ターボ・ストリーム及び通常ストリームを含むデュアル伝送ストリーム（ＴＳ）を受け取り、復調する工程と、（ｂ）復調デュアル伝送ストリーム（ＴＳ）を等化する工程と、（ｃ）等化デュアル伝送ストリーム（ＴＳ）の通常ストリームをビタビ復号化する工程と、（ｄ）等化デュアル伝送ストリーム（ＴＳ）のターボ・ストリームをターボ復号化する工程と、（ｅ）ターボ復号化ターボ・ストリームをビタビ復号化デュアル伝送ストリーム（ＴＳ）に挿入する工程と、（ｆ）ターボ復号化ターボ・ストリームを有するデュアル伝送ストリーム（ＴＳ）をデインタリーブする工程と、（ｇ）デインタリーブされたデュアル伝送ストリーム（ＴＳ）をＲＳ復号化する工程と、（ｈ）ＲＳ復号化デュアル伝送ストリーム（ＴＳ）をデランダム化する工程と、（ｉ）デランダム化デュアル伝送ストリーム（ＴＳ）を逆多重化することにより、通常ストリーム・パケット及びターボ・ストリーム・パケットを回復する工程とを含む。
【００９６】
本発明の一局面によれば、動作（ｄ）は、（ｄ１）等化デュアル伝送ストリーム（ＴＳ）のターボ・ストリームをトレリス復号化する工程と、（ｄ２）トレリス復号化ターボ・ストリームをデインタリーブする工程と、（ｄ３）デインタリーブされたターボ・ストリームを復号化する工程と、（ｄ４）硬判定が復号化処理において出力された場合、硬判定出力値をフレーム・フォーマッティングする工程と、（ｄ５）フレーム・フォーマッティングされたターボ・ストリームをシンボルからバイトに変換する工程とを含み得る。動作（ｄ１）乃至（ｄ３）は、硬判定が復号化処理において出力されるまで反復される。
【００９７】
本発明の一局面によれば、動作（ｉ）は、デュアル伝送ストリーム（ＴＳ）を多重化することにより、通常ストリーム及びターボ・ストリームを分離する工程と、分離された通常ストリームに同期信号を挿入することにより、通常ストリームを出力する工程と、分離されたターボ・ストリームをデインタリーブする工程と、デインタリーブされたターボ・ストリームから空き領域を除去し、ターボ・ストリームをＲＳ符号化する工程と、空き領域が除去されたターボ・ストリームから同期信号を検出する工程と、検出された同期信号からのターボ・ストリームを特定の長さだけＲＳ復号化し、ターボ・ストリームを出力する工程とを含み得る。
【００９８】
本発明の一局面によれば、ディジタル放送受信信号処理方法は、（ｊ）回復されたターボ・ストリームを消去復号化する工程を更に含み得る。
【００９９】
本発明の別の実施例によれば、複数のメモリを有し、メモリに記憶された値を用いて伝送ストリーム（ＴＳ）をトレリス符号化する、トレリス符号化装置のトレリス符号化方法は、外部制御信号が入力されると初期化を行う工程と、初期化が行われた場合、トレリス符号化装置のメモリに予め記憶された値に対応するパリティを生成する工程と、生成パリティを伝送ストリーム（ＴＳ）に加えることにより、伝送ストリーム（ＴＳ）のパリティを訂正する工程とを含む。
【０１００】
本発明の一局面によれば、トレリス符号化方法は、訂正パリティを有する伝送ストリーム（ＴＳ）をトレリス符号化する工程と、トレリス符号化伝送ストリーム（ＴＳ）をシンボル・マッピングし、出力する工程とを更に含み得る。
【０１０１】
本発明の一局面によれば、トレリス符号化は、複数の符号器を用い得る。トレリス符号化は、特定の値を記憶する複数のメモリと、伝送ストリーム（ＴＳ）の特定領域における２つのビットのうちの一方を受け取り、出力し、外部制御信号が受け取られると、複数のメモリのうちの第１のメモリに記憶された値を選択し、出力する第１のＭＵＸと、第１のＭＵＸの出力値と、第１のメモリに記憶された値とを加えることによる結果値を出力し、出力値を第１のメモリに記憶する第１の加算器と、ＴＳの特定領域における２つのビットのうちの他方を受け取り、出力し、外部制御信号が受け取られると、複数のメモリのうちの第２のメモリに記憶された値を選択し、出力する第２のＭＵＸと、第２のＭＵＸの出力値と、第１のメモリに記憶された値とを加え、結果値を複数のメモリのうちの第３のメモリに記憶する第２の加算器とを備えるトレリス符号器を用いて行うことができる。
【０１０２】
本発明の一局面によれば、パリティの生成により、トレリス符号器の第１のメモリ及び第２のメモリに予め記憶された値に対応するパリティが生成され得る。
【０１０３】
本発明の一局面によれば、伝送ストリーム（ＴＳ）は、ＳＲＳ、通常ストリーム、及びターボ・ストリームを含むデュアル伝送ストリーム（ＴＳ）であり得る。初期化は、ＳＲＳのトレリス符号化の直前に行うことができる。
【０１０４】
添付図面を参照し、以下の説明を検討することにより、前述の例示的な実施例及び局面に加えて、更なる局面及び実施例が明らかになるであろう。
【０１０５】
前述の通り、本願のディジタル放送伝送ストリーム（ＴＳ）をロバストに処理し、伝送する方法、ディジタル放送送受信システム、及びその信号処理方法は、通常ストリーム及びターボ・ストリームを含むデュアル伝送ストリーム（ＴＳ）に関する情報交換及びマッピングにより、ＡＴＳＣ  ＶＳＢによる米国における地上波ＤＴＶシステムの受信特性を向上させることを目的とする。したがって、本発明のディジタル放送送信システムは、既存の通常データ送信システムとの互換性を有し、広範囲にわたる受信環境において受信特性を向上させ得る。前述のターボ・ストリームは、ＡＴＳＣの要求を満たし、ＡＴＳＣ  ＶＳＢとの互換性を有する一方で、標準の通常ストリームと併せてロバストな別個のストリームを提供する。その結果、効果的には、現行のディジタル・テレビジョン（ＤＴＶ）システムとの後方互換性を保ちながら、マルチパス・フェージング・チャネルによって影響を受けることなく、性能における高ロバスト性を必要とするモバイル及びハンドヘルドの放送アプリケーションにおいて用いることが可能である。
【０１０６】
本発明は、全て、本発明の開示の一部を構成している、例示的な実施例の以下の詳細な説明及び特許請求の範囲並びに添付図面からより明らかになるであろう。以下に記載し、例証する開示は、本発明の例示的な実施例の開示に注力しているが、これは、例証及び例示の目的のために過ぎず、本発明はこれらに限定されるものでない。本発明の趣旨及び範囲は、特許請求の範囲記載の規定によってのみ限定される。
【発明を実施するための最良の形態】
【０１０７】
次に、本発明の実施例を詳細に参照する。この例は、添付図面に示す。添付図面では、同じ参照符号は、同じ構成要素を、図を通して表す。本発明を説明するために、以下に、添付図面を参照することにより、実施例を説明する。
【実施例】
【０１０８】
図３は、本発明の実施例によるディジタル放送送信システムのブロック図である。図３に示すように、ディジタル放送送信システムは、パリティ領域生成器１１０と、第１のインタリーブ器１２０と、ターボ・プロセッサ１３０と、デインタリーブ器１４０と、送信器１５０とを備える。
【０１０９】
パリティ領域生成器１１０は、通常ストリーム及びターボ・ストリームを含むデュアル伝送ストリーム（ＴＳ）に対してパリティ挿入領域を生成する役割を果たす。パリティ挿入領域は、デュアル伝送ストリーム（ＴＳ）について算出されたパリティ・ビットが挿入される領域（すなわち、パリティ・ビットが記録される領域）を表す。理解を容易にするために、パリティ領域生成器１１０によって設けられるパリティ挿入領域は、「第１のパリティ挿入領域」として表す。
【０１１０】
第１のインタリーブ器１２０は、パリティ領域生成器１１０によって生成された第１のパリティ挿入領域を有するデュアル伝送ストリーム（ＴＳ）をインタリーブする役目を担う。
【０１１１】
ターボ・プロセッサ１３０は、インタリーブされたデュアル伝送ストリーム（ＴＳ）に含まれるターボ・ストリームのみを検出し、検出されたターボ・ストリームに対してロバストな処理を行い、処理されたターボ・ストリームをデュアル伝送ストリーム（ＴＳ）に詰め込む役目を担う。ロバストな（ターボ）処理により、ターボ・ストリームに対して符号化（畳み込み符号化など）を行うことにより、データをロバストにするための処理が示唆される。
【０１１２】
デインタリーブ器１４０は、ターボ・プロセッサ１３０から出力されたデュアル伝送ストリーム（ＴＳ）をデインタリーブする役目を担う。
【０１１３】
送信器２００は、デインタリーブ器１４０において処理されたデュアル伝送ストリーム（ＴＳ）を外部に送信する役目を担う。送信器２００は詳細に説明する。
【０１１４】
図３に示す例示的な実施例では、別個のロバストな処理を経たターボ・ストリームは、通常ストリームと一緒に送信される。その結果、マルチパス環境又はモバイル環境における受信特性を向上させることが可能であり、既存の通常ストリームの送信、及び受信ストリームとの互換性を備えることが可能である。
【０１１５】
図４は、図３に示す例示的なディジタル放送送信システムの詳細なブロック図である。図４を参照すれば、ディジタル放送送信システムは、伝送ストリーム（ＴＳ）生成器３００及びランダム化器１５０を更に含む。ＴＳ生成器３００は、ＡＴＳＣ送出多重化器（ＭＵＸ）として表すことができる。
【０１１６】
ＴＳ生成器３００は、通常ストリーム及びターボ・ストリームを受け取り、多重化することにより、デュアル伝送ストリーム（ＴＳ）を生成する。通常ストリーム及びターボ・ストリームは、放送用カメラなどの外部モジュール、又は圧縮モジュール（例えば、ＭＰＥＧ−２モジュール）、ビデオ符号器やオーディオ符号器などの種々の内部モジュールから受け取ることが可能である。
【０１１７】
ランダム化器１５０は、ＴＳ生成器３００において生成されたデュアル伝送ストリーム（ＴＳ）をランダム化し、ランダム化デュアル伝送ストリーム（ＴＳ）をパリティ領域生成器１１０に供給する。よって、パリティ領域生成器１１０は、デュアル伝送ストリーム（ＴＳ）に対してパリティ挿入領域を生成する。ＴＳ生成器３００及びランダム化器１５０以外の、図４中の構成要素は図３に示す構成要素と同じ機能を有しているので、それらの説明は、話を簡潔にするために割愛する。
【０１１８】
図５、図６及び図７は、本発明の種々の実施例による例示的なＴＳ生成器３００のブロック図である。
【０１１９】
まず図５を参照すれば、ＴＳ生成器３００は、デュプリケータ３１０及びサービス多重化器（ＭＵＸ）３２０によって実現することが可能である。デュプリケータ３１０は、インタリーブされたターボ・ストリームに対してパリティ挿入領域を生成する役目を担う。理解を容易にするために、デュプリケータ３１０によって生成されるパリティ挿入領域は、「第２のパリティ挿入領域」として表す。更に詳細には、第２のパリティ挿入領域を生成するために、ターボ・ストリームの構成単位であるバイトが、２バイト又は４バイトに分けられる。分けられたバイトそれぞれは、元のバイト及びヌル・データ（例えば、０）のビット値の一部によって埋められる。ヌル・データによって埋められる領域は、パリティ挿入領域になる。
【０１２０】
デュプリケータ３１０の動作は、本明細書において以下に更に詳細に説明する。
【０１２１】
入力を倍長にする場合、最上位ビット（ＭＳＢ）から始め、その順序で入力されて、一バイト内のビットをａ，ｂ，ｃ，ｄ，ｅ，ｆ，ｇ，ｈとして表すとすれば、デュプリケータ３１０の出力は、ａ，ａ，ｂ，ｂ，ｃ，ｃ，ｄ，ｄ，ｅ，ｅ，ｆ，ｆ，ｇ，ｇ，ｈ，ｈとして表すことが可能である。ＭＳＢから始めて、ａ，ａ，ｂ，ｂ，ｃ，ｃ，ｄ，ｄの一バイト、及びｅ，ｅ，ｆ，ｆ，ｇ，ｇ，ｈ，ｈの一バイトを含む２バイトの出力が順次出力される。
【０１２２】
入力を４倍長にする場合、デュプリケータ３１０の出力をａ，ａ，ａ，ａ，ｂ，ｂ，ｂ，ｂ，ｃ，ｃ，ｃ，ｃ，ｄ，ｄ，ｄ，ｄ，ｅ，ｅ，ｅ，ｅ，ｆ，ｆ，ｆ，ｆ，ｇ，ｇ，ｇ，ｇ，ｈ，ｈ，ｈ，ｈとして表すことが可能である。そういうものとして、４バイトが出力される。一方、デュプリケータ３１０は、入力ビットを複製する必要なく、指定された位置以外の位置を、任意の値（すなわち、ヌル・データ）で埋めることができる。例えば、入力を２倍長にする場合、デュプリケータ３１０は、元の入力における２つの連続ビットの、前の部分を維持し、ａ，ａ，ｂ，ｂ，ｃ，ｃ，…の代わりに、ａ，ｘ，ｂ，ｘ，ｃ，ｘ，…などの任意の値を後の部分に入力することができる。逆に、元の入力の後の部分を維持することができる。出力を４倍長にする場合、元の入力が、第１の位置、第２の位置、第３の位置、及び第４の位置、並びに他の位置のうちの１つにおいて配置され、他の位置は、任意値で埋められる。これは、以下に説明する。
【０１２３】
サービスＭＵＸ３２０は、別個に受け取られる通常ストリームを多重化し、ターボ・ストリームはデュプリケータ３１０において処理される。こうして、デュアル伝送ストリーム（ＴＳ）が生成され、ランダム化器１５０に供給される。
【０１２４】
図６は、図５に示すＴＳ生成器３００にリードソロモン（ＲＳ）符号器３００が加えられた例を示すブロック図である。図６では、ＲＳ符号器３３０は、パリティを加えることにより、受け取られたターボ・ストリームを符号化する役目を担い、次いで、符号化ターボ・ストリームをデュプリケータ３１０に供給する。よって、デュプリケータ３１０は、第２のパリティ挿入領域を符号化ターボ・ストリームに生成する。そうするうえで、デュプリケータ３１０は、第２のパリティ挿入領域を１／２レート又は１／４レートで生成することが可能である。
【０１２５】
図７は、図６に示すＴＳ生成器３００にインタリーブ器３４０が加えられた例を示すブロック図である。図７では、インタリーブ器３４０は、ＲＳ符号器３３０によって符号化されたターボ・ストリームをインタリーブする役目を担う。理解を容易にするために、インタリーブ器３４０は、フリー・インタリーブ器(free  interleaver)と呼んでよい。インタリーブ３４０の位置と、デュプリケータ３１０の位置は図７において切り換えることが可能である。
【０１２６】
図８は、図６及び図７に示すＲＳ符号器３３０から出力されるターボ・ストリーム構成の概念図である。図８を参照すれば、当初受け取られた１８８バイトのターボ・ストリーム（パケット識別子を含む）から、１バイトの同期信号が除去される一方、２０バイトのパリティを加えた合計２０８バイトのパケット・ストリームが出力される。
【０１２７】
図９及び図１０は、本発明の実施例による、デュプリケータ３１０によってパリティ挿入領域が設けられるやり方を示す概念図である。まず、図９は、１／２レート変換を示す。図９を参照すれば、Ｄ０−Ｄ７ビットを含む１バイトは、Ｄ０−Ｄ３ビットを含む第１のバイト、及びＤ４−Ｄ７ビットを含む第２のバイトに拡張される。第１のバイトと第２のバイトとの間のビットは、第１のパリティ挿入領域として用いられる。特に、第１のバイト及び第２のバイトの場合、２番目、４番目、６番目及び８番目のビットが第１のパリティ挿入領域として用いられる。第１のパリティ挿入領域の位置は違ったふうに変更することができる。例えば、２番目、３番目、６番目及び７番目のビット、又は３番目、４番目、５番目及び６番目のビットを第１のパリティ挿入領域として用いることが可能である。
【０１２８】
図１０は、１／４レート変換を示す。図１０では、Ｄ０−Ｄ７ビットを含む１バイトが、Ｄ０及びＤ１ビットを含む第１のバイト、Ｄ２及びＤ３ビットを含む第２のバイト、Ｄ４及びＤ５ビットを含む第３のバイト、並びに、Ｄ６及びＤ７を含む第４のバイトに拡張される。各バイトの２番目、３番目、４番目、６番目、７番目及び８番目のビットは、図１０に示す第１のパリティ挿入領域として用いられる一方、この構成は、この例に限定されるものでない。
【０１２９】
図１１は、本発明の別の実施例による例示的なＴＳ生成器３００の別のブロック図である。図１１に示すように、ＴＳ生成器３００には、図７に示すＴＳ生成器３００に加えて、消去符号器３５０が更に設けられる。
【０１３０】
消去符号器３５０は、受け取られたターボ・ストリームにおける雑音を除去するよう消去符号化を行う働きをする。ターボ・ストリームの雑音を除去することにより、受信特性を大きく向上させることが可能である。ＲＳ符号器３３０は、消去符号化を経たターボ・ストリームに対して誤り訂正符号化を行う。インタリーブ器３４０は次いで、符号化ターボ・ストリームをインタリーブする。デュプリケータ３１０は、インタリーブされたターボ・ストリーム内に第２のパリティ挿入領域を生成する。サービスＭＵＸ３２０は、第２のパリティ挿入領域を有するターボ・ストリーム、及び通常ストリームを多重化することにより、デュアル伝送ストリーム（ＴＳ）を生成する。
【０１３１】
図１２は、図４に示すディジタル放送送信システムに適用される送信器２００の詳細なブロック図である。図１２を参照すれば、送信器２００は、第２のＲＳ符号器２１０と、第２のインタリーブ器２２０と、トレリス符号器２３０と、多重化器（ＭＵＸ）２４０と、変調器２５０とを含む。送信器２００以外の構成要素は全て、図３及び図４に示す構成要素と同じ機能を有するので、それらの詳細な説明は、話を簡潔にするために割愛する。しかし、図１２では、ＴＳ生成器３００以外の構成要素は「励起器」として表すことができる。
【０１３２】
第２のＲＳ符号器２１０は、パリティを加えることにより、デインタリーブ器２２０から供給されたデュアル伝送ストリーム（ＴＳ）を符号化する役割を果たす。特に、第２のＲＳ符号器２１０は、パリティ領域生成器１１０によって生成される第１のパリティ挿入領域に、デュアル伝送ストリーム（ＴＳ）に対して算出されるパリティを挿入する。
【０１３３】
第２のインタリーブ器２２０は、パリティが挿入されたデュアル伝送ストリーム（ＴＳ）をインタリーブする。トレリス符号器２３０は、第２のインタリーブ器２２０によってインタリーブされたデュアル伝送ストリーム（ＴＳ）をトレリス符号化する。ＭＵＸ２４０は、セグメント同期信号及びフィールド同期信号を加えることにより、トレリス符号化デュアル伝送ストリーム（ＴＳ）を多重化する。
【０１３４】
変調器２５０は、多重化デュアル伝送ストリーム（ＴＳ）のチャネルを変調し、ＲＦチャネル帯信号に変調ストリームをアップコンバートし、次いで変換信号を送信する。変調器２５０からのデュアル伝送ストリーム（ＴＳ）は、チャネルを介して種々の受信システムに送信される。
【０１３５】
図１２に示していないが、送信器２００は、変換された信号の電力を増幅する電力増幅器（図示せず）や、アンテナ（図示せず）などの、信号送信のための通常の構成要素を更に備え得る。
【０１３６】
図１３は、図３、図４及び図１２に示すディジタル放送送信システムの種々の実施例に適用される例示的なターボ・プロセッサ１３０のブロック図である。図１３に示すように、ターボ・プロセッサ１３０は、バイトシンボル変換器１３１と、ＴＳ逆多重化器（ＤＥ−ＭＵＸ）１３２と、外符号器１３３と、外インタリーブ器１３４と、ＴＳ多重化器（ＭＵＸ）１３５と、シンボルバイト変換器１３６とを有する。
【０１３７】
バイトシンボル変換器１３１と、ＴＳ  ＤＥ−ＭＵＸ１３２と、ＴＳ  ＭＵＸ１３５と、シンボルバイト変換器１３６は、割愛し、他の構成要素によって置き換えることが可能である。
【０１３８】
バイトシンボル変換器１３１は、第１のインタリーブ器１２０によってインタリーブされたデュアル伝送ストリーム（ＴＳ）をバイトからシンボルに変換する。バイトからシンボルへの変換についての詳細な説明については、内容を本明細書及び特許請求の範囲に援用するＡＴＳＣ  ＤＴＶ標準（Ａ／５３）の表Ｄ５．２を参照されたい。
【０１３９】
ＴＳ  ＤＥ−ＭＵＸ１３２は、シンボルに変換されたデュアル伝送ストリーム（ＴＳ）を逆多重化することにより、ターボ・ストリームを検出する。
【０１４０】
外符号器１３３は、検出ターボ・ストリームのパリティを算出し、算出されたパリティを第２のパリティ挿入領域に挿入することにより、ターボ・ストリームを符号化する。そうするうえで、外符号器１３３は、バイト単位でターボ・ストリームを符号化する。
【０１４１】
外インタリーブ器１３４は、畳み込み符号化されたターボ・ストリームをインタリーブする。外インタリーブ器１３４は、ビット単位でインタリーブを行う。
【０１４２】
伝送ストリーム（ＴＳ）ＭＵＸ１３５は、インタリーブされたターボ・ストリーム及び通常ストリームを多重化することにより、デュアル伝送ストリーム（ＴＳ）を構成する。特に、ＴＳ  ＭＵＸ１３５は、ＴＳ  ＤＥ−ＭＵＸ１３２の検出前の位置にターボ・ストリームを詰め込むことにより、デュアル伝送ストリーム（ＴＳ）を構成する。ＴＳ  ＭＵＸ１３５は、サービス多重化器（ＭＵＸ）として表すことができる。
【０１４３】
シンボルバイト変換器１３６は、デュアル伝送ストリーム（ＴＳ）をシンボルからバイトに変換する。シンボルからバイトへの変換についての更なる説明については、内容を本明細書及び特許請求の範囲に援用するＡＴＳＣ  ＤＴＶ標準（Ａ／５３）の表Ｄ５．２を参照されたい。
【０１４４】
図１４は、図１３に示すターボ・プロセッサ１３０に適用される例示的な外符号器１３３のブロック図である。図１４を参照すれば、外符号器１３３は、シフト・レジスタｒ０、ｒ１、ｒ２、及び加算器を有する。よって、外符号器１３３は、再帰的組織畳み込み（ＲＳＣ）符号のタイプで畳み込み符号化することにより、第２のパリティ挿入領域にパリティを挿入することが可能である。外符号器１３３は、１／２レート又は１／４レートで符号化することができる。外符号器２での符号化は、図１５及び図１６を参照して示す。
【０１４５】
図１５は、１／２レートで示す概念図である。図１５では、Ｄ０−Ｄ３ビット及びヌル・データ（例えば、０）を含む１バイトでは、Ｄ０−Ｄ３ビットに対応するパリティ・ビットＺ０−Ｚ３が生成される。生成されたパリティ・ビットは、ヌル・データの位置（すなわち、第２のパリティ挿入領域）に挿入される。その結果、符号化バイトはＤ３、Ｚ３、Ｄ２、Ｚ２、Ｄ１、Ｚ１、Ｄ０、Ｚ０である。
【０１４６】
図１６は、１／４レートで示す概念図である。図１６では、Ｄ０及びＤ１ビット並びにヌル・データを含む１バイトにおいて、Ｄ０及びＤ１ビットに対応するパリティ・ビットＺ０及びＺ１が生成される。生成されたパリティ・ビットは、ヌル・データの位置（すなわち、第２のパリティ挿入領域）に挿入される。生成されたパリティ・ビットに加えて、Ｄ０及びＤ１ビットが再挿入される。よって、ビット及びパリティを反復して記録することが可能である。図１６に示すように、符号化バイトは、Ｄ１、Ｚ１、Ｄ１、Ｚ１、Ｄ０、Ｚ０、Ｄ０、Ｚ０である。
【０１４７】
図１７は、図１３に示すターボ・プロセッサ１３０に適用される例示的な外インタリーバ器１３４のインタリーブを示す概念図である。図１７を参照すれば、外インタリーブ器１３４は、所定のインタリーブ規則に従って畳み込み符号化ターボ・ストリームをインタリーブする。例えば、インタリーブ規則が｛２，  １，  ３，  ０｝である一方で「ＡＢＣＤ」が順次入力された場合、外インタリーブ器１３４は、「ＣＢＤＡ」にインタリーブし、「ＣＢＤＡ」を出力する。
【０１４８】
図１８は、本発明の別の実施例によるディジタル放送送信システムのブロック図である。図１８を次に参照すれば、ディジタル放送送信システムは、ＴＳ生成器５００と、ランダム化器４１０と、ＲＳ符号器４２０と、インタリーブ器４３０と、ターボ・プロセッサ４４０と、トレリス符号器４５０と、ＭＵＸ４６０と、パイロット挿入器４７０と、前置等化器４８０と、ＶＳＢ変調器４９０と、ＲＦ変調器４９５とを有する。
【０１４９】
ＴＳ生成器５００は、通常ストリーム及びターボ・ストリームを受け取り、多重化することにより、デュアル伝送ストリーム（ＴＳ）を構成する。より詳細には、ターボ・ストリーム及び通常ストリームは別個に受け取られる。符号化やインタリーブなどの処理後、ターボ・ストリーム、処理されたターボ・ストリーム、及び通常ストリームを多重化して、よって、デュアル伝送ストリーム（ＴＳ）を生成する。ＴＳ生成器５００は、図５、６、７及び１１に示すＴＳ生成器３００と同様な構成で実現することができる。
【０１５０】
ランダム化器４１０は、ＴＳ生成器５００から出力されたデュアル伝送ストリーム（ＴＳ）を受け取り、ランダム化する。ＲＳ符号器４２０は、誤り訂正のためにパリティを挿入することにより、ランダム化デュアル伝送ストリーム（ＴＳ）を符号化する。インタリーブ器４３０は、パリティが挿入されたデュアル伝送ストリーム（ＴＳ）をインタリーブする。
【０１５１】
ターボ・プロセッサ４４０は、インタリーブされたデュアル伝送ストリーム（ＴＳ）に含まれたターボ・ストリームを畳み込み符号化し、畳み込み符号化されたターボ・ストリームをインタリーブする。次に、ターボ・プロセッサ４４０は、インタリーブされたターボ・ストリームをデュアル伝送ストリーム（ＴＳ）に挿入することにより、デュアル伝送ストリーム（ＴＳ）を再構成する。
【０１５２】
一方、図１２に示すディジタル放送送信システムの例示的な実施例では、ターボ・プロセッサ１３０は、第２のＲＳ符号器２１０のフロントエンドに配置される。よって、畳み込み符号化によってパリティが挿入されているターボ・ストリームがデュアル伝送ストリーム（ＴＳ）に挿入された後にパリティが再挿入されるので、パリティは正しく挿入することが可能である。しかし、図１８に示すディジタル放送送信システムの例示的な実施例では、ターボ・プロセッサ４４０は、ＲＳ符号器４２０のバックエンドに配置されている。よって、ターボ・プロセッサ４４０の畳み込み符号化によってパリティが挿入されるので、デュアル伝送ストリーム（ＴＳ）のパリティ全体が変更される。したがって、ターボ・プロセッサ４４０は、再構成されたデュアル伝送ストリーム（ＴＳ）に対してパリティを再生成し、挿入することにより、パリティを訂正する。
【０１５３】
トレリス符号器４５０は、ターボ処理されたデュアル伝送ストリーム（ＴＳ）をトレリス符号化する。ＭＵＸ４６０は、セグメント同期信号及びフィールド同期信号を加えることにより、トレリス符号化デュアル伝送ストリーム（ＴＳ）を多重化することが可能である。
【０１５４】
パイロット挿入器４７０は、同期信号を有するデュアル伝送ストリーム（ＴＳ）に所定の直流（ＤＣ）値を加えることにより、パイロットを挿入する。前置等化器４８０は、パイロットが挿入されたデュアル伝送ストリーム（ＴＳ）を、シンボル間干渉を最小にするよう等化する。
【０１５５】
ＶＳＢ変調器４９０は、等化デュアル伝送ストリーム（ＴＳ）を変調する。ＲＦ変調器４９５は、ＶＳＢ変調デュアル伝送ストリーム（ＴＳ）をＲＦチャネル帯信号に変調する。
【０１５６】
パリティ領域生成器１１０、第１のインタリーブ器１２０やデインタリーブ器１４０などの構成要素が割愛されているので、図１８に示すディジタル放送送信システムの例示的な実施例は、図１２に示すものよりも単純化された構成を有している。
【０１５７】
図１９は、図１８に示すディジタル放送送信システムに適用される例示的なターボ・プロセッサ４４０のブロック図である。図１９では、ターボ・プロセッサ４４０は、ターボ・ストリーム検出器４４１と、外符号器４４２と、外インタリーブ器４４３と、ターボ・ストリーム詰め込み器４４４と、パリティ補償器４４５とを有する。
【０１５８】
ターボ・ストリーム検出器４４１は、デュアル伝送ストリーム（ＴＳ）からターボ・ストリームを検出する。特に、ターボ・ストリーム検出器４４１は、逆多重化器（ＤＥ−ＭＵＸ）を用いて実現することが可能であるが、これに限定されるものでない。
【０１５９】
外符号器４４２は、検出ターボ・ストリーム内の第１のパリティ挿入領域にパリティを加えることにより、ターボ・ストリームを符号化する。外インタリーブ器４４３は、符号化ターボ・ストリームをインタリーブする。ターボ・ストリーム詰め込み器４４４は、インタリーブされたターボ・ストリーム及び通常ストリームを多重化することにより、デュアル伝送ストリーム（ＴＳ）を再構成する。ターボ・ストリーム詰め込み器４４４は、多重化器（ＭＵＸ）を用いて実現することが可能であるが、これに限定されるものでない。
【０１６０】
パリティ補償器４４５は、パリティを再生成し、再構成されたデュアル伝送ストリーム（ＴＳ）にパリティを加えることにより、ターボ・ストリーム符号化から生じるパリティ誤差を補償する。
【０１６１】
図１９に示すターボ・プロセッサ４４０は、デュアル伝送ストリーム（ＴＳ）をバイトからシンボルに変換し、変換されたデュアル伝送ストリーム（ＴＳ）をターボ・ストリーム検出器４１に供給するバイトシンボル変換器（図示せず）と、パリティ補償器４４５から出力されたデュアル伝送ストリーム（ＴＳ）をシンボルからバイトに変換し、変換されたデュアル伝送ストリーム（ＴＳ）を出力するシンボルバイト変換器（図示せず）とを更に備え得る。
【０１６２】
図２０乃至図２４は、図３、４、１２及び１８に示すディジタル放送送信システムの種々の実施例から送信されるデュアル伝送ストリーム（ＴＳ）の種々の構造を示す概念図である。
【０１６３】
図２０では、「Ａ」は、図３、４、１２に示すＴＳ生成器３００、及び図１８に示すＴＳ生成器５００において受け取られる通常ストリーム・パケットを示す。「Ｂ」は、ＴＳ生成器３００及び６００において受け取られるターボ・ストリーム・パケットを示し、「Ｃ」は、ＴＳ生成器３００及び５００において構成されるデュアル伝送ストリーム（ＴＳ）パケットを示す。図２０に示す通り、ターボ・ストリーム・パケットＡは、同期信号、パケット識別子（ＰＩＤ）、及びロバストなデータ領域を有する。特に、ターボ・ストリーム・パケット全体は、１８８バイトを有し得る。このうち、同期信号が１バイトであり、ＰＩＤが３バイトであり、ロバストなデータが１８４バイトである。
【０１６４】
通常ストリーム・パケットＢは、同期信号（ＳＹＮＣ）と、ＰＩＤと、適応フィールド（ＡＦ）ヘッダと、詰め込み領域と、通常データ領域とを有する。特に、通常ストリーム・パケット全体は１８８バイトを有し得る。このうち、ＳＹＮＣが１バイトであり、ＰＩＤが３バイトであり、ＡＦヘッダが２バイトであり、ヌル・データがＮバイトであり、通常のデータが、１８２−Ｎ−Ｓバイトである。ＡＦヘッダは、ＡＦの位置、サイズ等を通知するための情報が記録される領域である。
【０１６５】
デュアルＴＳパケットＣでは、ターボ・ストリーム・パケットＡの一部が、通常ストリーム・パケットＢの詰め込み領域に挿入される。なお図２０を参照すれば、１８８バイトのデュアルＴＳパケットは、１バイトのＳＹＮＣと、３バイトのＰＩＤと、２バイトのＡＦヘッダと、Ｎバイトのロバストなデータと、１８２個のＮバイトの通常データとを有する。
【０１６６】
デュアルＴＳパケットＣに挿入されるターボ・ストリームは、ターボ・ストリーム・パケットＡの一部であり得る。すなわち、デュアルＴＳパケットＣに挿入されるターボ・ストリームは、ＳＹＮＣ、ＰＩＤ、及びロバストなデータのうちの少なくとも１つであり得る。
【０１６７】
図２１は、ＴＳ生成器３００及び５００によって構成されたデュアル伝送ストリーム（ＴＳ）の別の例を示す。図２１では、デュアル伝送ストリーム（ＴＳ）は、ロバストなデータが特定のパケットに配置される複数の連続パケットを有する。より詳細には、図２１は、ターボ・ストリームの７８個のパケットが、デュアルＴＳの１フィールドの３１２個のパケットに挿入されることを示している。この場合、デュアル伝送ストリーム（ＴＳ）は、ターボ・ストリームのパケット及び通常ストリームのパケットが、４パケット単位で、１：３の比で繰り返されるように構成される。すなわち、ターボ・ストリームの１パケット（１８８バイト）及び通常ストリームの３パケット（１８８バイト）は、連続してつながっている。
【０１６８】
ターボ・ストリームの７０パケットが、デュアル伝送ストリーム（ＴＳ）の３１２個のセグメントに挿入された場合、１：３の比でターボ・ストリームの１パケット（１８８バイト）及び通常ストリームの３パケットを含む４パケットが７０回、反復して配置され、残りの３２パケットが、通常ストリームのパケットを含むようにデュアル伝送ストリーム（ＴＳ）を構成することが可能である。
【０１６９】
図２２は、図３、図４及び図１２に示すようなＴＳ生成器３００、並びに図１８に示すようなＴＳ生成器５００によって構成されるデュアル伝送ストリーム（ＴＳ）の更に別の例を示す。特に、図２２は、デュアルＴＳの１フィールドの３１２個のセグメントのパケットにターボ・ストリームの８８パケットが挿入される場合の例示的なデュアル伝送ストリーム（ＴＳ）を示す概念図である。図２２に示すように、デュアル伝送ストリーム（ＴＳ）は、ターボ・ストリームの２パケット（１８８バイト）及び通常ストリームの２パケット（１８８バイト）が、４パケット単位で、１０回反復して配置され、ターボ・ストリームの１パケット（１８８バイト）及び通常ストリームの３パケット（１８８バイト）が、他のセグメントに対して１：３の比で、４パケット単位で反復して配置される。
【０１７０】
図２３は、図３、図４及び図１２に示すようなＴＳ生成器３００、並びに図１８に示すようなＴＳ生成器５００によって構成されるデュアル伝送ストリーム（ＴＳ）の更に別の例を示す。図２３は、図２０及び図２１のものの組み合わせであるデュアル伝送ストリーム（ＴＳ）を示す。特に、デュアル伝送ストリーム（ＴＳ）は、ターボ・ストリームの１パケット（１８８バイト）（１パケットは、通常ストリーム・パケットのＡＦの一部にターボ・ストリームを挿入させている）、及び通常ストリームの２パケットが４パケット単位で、反復して配置されるように構成される。
【０１７１】
図２４は、デュアルＴＳの３１２個のセグメントのパケットの更なる例の概念図である。図２４を参照すれば、パケット情報が、ターボ・ストリーム及び通常ストリームと一緒に、デュアル伝送ストリーム（ＴＳ）に含まれている。パケット情報は、任意フィールドに記録することが可能である。この場合、任意フィールドの位置及びターボ・ストリームの位置が重なってはならないように任意フィールドの位置を指定し、固定することができる。図２４では、ｍは、ターボ・ストリームの実現可能な長さ（バイト）を示す。
【０１７２】
図２４をなお参照すれば、番組クロック基準（ＰＣＲ）領域は１５番目に固定される。そういうものとして、任意フィールドはそれぞれ、ターボ・ストリームと重ならない部分に固定することが可能である。
【０１７３】
例として、３１２個のセグメントが５２セグメント単位で分けられるとすれば、任意フィールドの位置は、以下のように表すことが可能である。
【０１７４】
６バイト使用の番組クロック基準（ＰＣＲ）：５２ｎ＋１５、ｎ＝０
６バイト使用の元の番組のクロック基準（ＯＰＣＲ）：５２ｎ＋１５、ｎ＝１
２バイト使用の適応フィールド拡張長：５２ｎ＋１５、ｎ＝２
５バイト使用の伝送プライベート・データ長：５２ｎ＋１５、ｎ＝３，４，５
１バイト使用のスプライス・カウントダウン：５２ｎ＋１５、ｎ＝０，１，２，３，４，５
図２４に示していないが、「伝送プライベート・データ長」は、前述の式によって１７１番目、２２３番目、及び２７５番目のセグメントに配置される。
【０１７５】
図２０乃至図２４に示す構成以外では、適応フィールド（ＡＦ）のヘッダの任意フィールドを除くヌル・データにターボ・ストリームが挿入されるデュアルＴＳパケットを違ったふうに構成することが可能である。更に、ターボ・ストリームのレートは、デュアルＴＳパケットの構造に応じて調節することが可能である。
【０１７６】
次に図２５に移れば、本発明の更に別の実施例による補助基準信号（ＳＲＳ）を有するディジタル放送送信システムのブロック図を示す。図２５に示すように、ディジタル放送送信システムは、ＴＳ生成器１１０１と、ランダム化器１１０３と、ＳＲＳ挿入器１１０５と、パリティ領域生成器１１０７と、第１のインタリーブ器１１０９と、ターボ・プロセッサ１１１１と、デインタリーブ器１１１３と、ＲＳ符号器１１１５と、第２のインタリーブ器１１１７と、トレリス／パリティ訂正器１１１９と、ＭＵＸ１１２１と、変調器１１２３とを有する。
【０１７７】
ＴＳ生成器１１０１は、通常ストリーム及びターボ・ストリームを受け取ることにより、デュアルＴＳパケットを構成することが可能である。そうするうえで、ＴＳ生成器１１０１は、デュアルＴＳストリームの各パケットにＳＲＳデータを挿入するための詰め込み領域を生成する。
【０１７８】
補助基準信号（ＳＲＳ）は、送信側及び受信側に共通に知られている信号パターンである。受信側は、受信ストリ―ム内のＳＲＳを既知のＳＲＳと比較することにより、チャネル・ステータスを検査し、補償の度合いを判定することが可能である。
【０１７９】
詰め込み領域は、ＳＲＳ挿入のために、ヘッダ部分及びペイロード部分を含むパケットの一部において生成される領域である。更に詳細には、パケットは、適応可能なフィールド（ＡＦ）ヘッダを更に含む。ＡＦヘッダの一部又は全てを詰め込み領域として用いることが可能である。この場合、パケットのＡＦヘッダは、トレリス／パリティ訂正器１１１９の初期化のためにデータを挿入するための詰め込み領域を更に含み得る。
【０１８０】
ＡＦヘッダは、広範囲にわたるパケット情報が記録される任意フィールドを含み得る。任意フィールドは、受信器の復調器の同期化に用いる番組クロック基準（ＰＣＲ）、受信器（例えば、ディジタル放送受信システム）での番組記録、タイマ記録、及び再生に用いる元の番組クロック基準（ＯＰＣＲ）、４つの回路ブロック、Ｃｒブロック及びＣｂブロックそれぞれを含む一連のマクロブロックの数であるスプライス・カウントダウンと、テレテキスト用テキスト・データの長さである伝送プライベート・データ長と、適応フィールド拡張の長さである。詰め込み領域及び任意フィールドは、重ならないよう配置されることが好ましい。
【０１８１】
ＴＳ生成器１１０１を図５、図６、図７及び図１１に示すようなやり方で構成することが可能であるので、その更なる説明は、話を簡潔にするために割愛する。ＴＳ生成器１１０１が、図６、図７及び図１１に示すようなＲＳ符号器３１０を有する場合、ＲＳ符号器は、図２５に示すディジタル放送送信システムの例示的な実施例のＲＳ符号器１１１５と区別するために第１のＲＳ符号器３１０として表すことが可能であり、図２５に示すＲＳ符号器１１１５は、第２のＲＳ符号器１１１５として表すことが可能である。
【０１８２】
ランダム化器１１０３は、詰め込み領域を含むデュアル伝送ストリーム（ＴＳ）をランダム化する。ＳＲＳ挿入器１１０５は、ランダム化デュアル伝送ストリーム（ＴＳ）内の詰め込み領域にＳＲＳを挿入する。ＳＲＳは、受信側における同期化及び／又はチャネル等化に適応させることが可能である。
【０１８３】
パリティ領域生成器１１０７は、誤り訂正のためにパリティを挿入するための第１のパリティ挿入領域を、ＳＲＳを挿入させたデュアルＴＳパケットにおいて生成する。第１のインタリーブ器１１０９は、第１のパリティ挿入領域を生成させたデュアルＴＳパケットをインタリーブする。
【０１８４】
ターボ・プロセッサ１１１１は、インタリーブされたパケットに含まれたターボ・ストリームを畳み込み符号化し、畳み込み符号化されたターボ・ストリームをインタリーブすることが可能である。ターボ・プロセッサ１１１１は、図１３に示すやり方（例えば、バイトシンボル変換器、ＴＳ逆多重化器（ＤＥ−ＭＵＸ）、外符号器、外インタリーブ器、ＴＳ多重化器（ＭＵＸ）や、シンボルバイト変換器）で実現することが可能である。あるいは、ターボ・プロセッサ１１１は、図１９に示すようなやり方（例えば、ターボ・ストリーム検出器、外符号器、外インタリーブ器、ターボ・ストリーム詰め込み器や、パリティ補償器）で実現することも可能である。
【０１８５】
デインタリーブ器１１１３は、ターボ・プロセッサ１１１１から出力されたパケットをデインタリーブすることが可能である。ＲＳ符号器１１１５は、デインタリーブされたデュアルＴＳパケットを符号化する。特に、ＲＳ符号器１１１５を、連結符号のタイプで構成して、ＳＲＳを挿入させたパケットの第１のパリティ挿入領域に、誤り訂正のためのパリティを挿入する。
【０１８６】
第２のインタリーブ器１１１７は、パリティを挿入させたデュアルＴＳパケットをインタリーブする。トレリス／パリティ訂正器１１１９は、第２のインタリーブ器１１１７によってインタリーブされたパケットをトレリス符号化し、パリティを訂正する。
【０１８７】
図２６は、図２５に示すディジタル放送送信システムの例示的な実施例に適用される例示的なトレリス／パリティ訂正器１１１９のブロック図である。図２６を参照すれば、トレリス／パリティ訂正器１１１９は、トレリス符号器ブロック１４０１と、ＲＳ再符号器１４０３と、加算器１４０５と、多重化器（ＭＵＸ）１４０７と、マップ１４０９とを有する。
【０１８８】
ＭＵＸ１４０７は、第２のインタリーブ器１１１７によってインタリーブされたパケットをトレリス符号化する動作モ―ド（以下、「通常モード」として表す）と、加算器１４０５によって加えられたパケットをトレリス符号化する動作モード（以下、「パリティ訂正モード」）とを有し得る。ＭＵＸ１４０７の動作モードは、ＲＳ再符号器１４０３から受信される制御信号によって定められる。
【０１８９】
トレリス符号器ブロック１４０１は、ＭＵＸ１４０７から受け取られたパケットをトレリス符号化する。トレリス符号器ブロック１４０１は、外部制御信号に従って、パケットをトレリス符号化することができる。好ましくは、トレリス符号器ブロック１４０１は、パケットのＳＲＳデータのトレリス符号化の直前に初期化される。
【０１９０】
ＲＳ再符号器１４０３は、トレリス符号器ブロック１４０１の初期化中に、変更されたパケットに対応するパリティを再生成する。
【０１９１】
加算器（排他的ＯＲ）１４０５は、再符号化されたパリティと、第２のインタリーブ器１１１７から供給されたパケットとを加算し、ＭＵＸ１４０７に供給する。加算演算は、以下の通りである。
【０１９２】
Ａ）割愛，，，１０１００１０１０１１１００１０１０１０１０１１ＡＡＡＡＡ，，，割愛
Ｂ）割愛，，，０００００００００００００１００００００００００ＢＢＢＢＢ，，，割愛
Ｃ）割愛，，，１０１００１０１０１１１０１１０１０１０１０１１ＣＣＣＣＣ，，，割愛
Ａ）は、第２のインタリーブ器１１１７から受け取られたパケットを示し、Ｂ）は、ＲＳ再符号化パケットを示し、Ｃ）は、加算器１４０５を用いたＡ）及びＢ）の排他的ＯＲの結果を示す。Ａ）において下線を引いた部分がトレリス符号器ブロック１４０１に入力されると、初期化が行われる。この時点で、トレリス符号器ブロック１４０１において予め記憶された値に対応する値が、ＲＳ再符号器１４０３に供給される。ＲＳ再符号器１４０３は、供給された値にパリティを加算することにより、パケットＢ）を出力する。パケットＢ）において下線を引いた部分は、パケットＡ）の下線を引いた部分に対応する変更された値を示唆している。パケットＢ）において下線を引いた部分に対応するパリティは、「ＢＢＢＢＢ」に再生成される。
【０１９３】
加算器１４０５は、パケットＡ）及びパケットＢ９に排他的ＯＲを行うことにより、パケットＣ）を出力する。パケットＣ）では、当初入力されたパケットＡ）において下線を引いた部分は「０１」に変更され、パリティは、「ＡＡＡＡＡ」から「ＣＣＣＣＣ」にも変更される。
【０１９４】
ＭＵＸ１４０７は、初期化及びパリティ訂正が完了すると通常動作モ―ドで動作し、デュアル伝送ストリーム（ＴＳ）をトレリス符号器ブロック１４０１に供給する。ＭＡＰ１４０９は、トレリス符号化パケットに対して、８値へのシンボル・マッピングを行い、マッピングされたパケットを出力する。
【０１９５】
図２７は、図２５に示すディジタル放送送信システムに適用されるトレリス／パリティ訂正器１１１９に含まれる例示的なトレリス符号器ブロック１４０１のブロック図である。図２７に示すように、トレリス符号器ブロック１４０１は、複数のトレリス符号器１５０１Ａ−１５０１Ｎを有する。特に、着信パケットを受け取るよう１２個のトレリス符号器が並列に配置される。よって、トレリス符号器１乃至１２は、受け取られたパケットに応じて順次、連続して選択され、それぞれトレリス値を出力する。前述の通り、初期化期間中、トレリス符号器のレジスタ（図示せず）において予め記憶された値に対応する値が、初期化値としてＲＳ再符号器１４０３に供給される。
【０１９６】
図２８は、図２７に示すトレリス符号器ブロック１４０１において使用する例示的なトレリス符号器のブロック図である。図２８に示すように、トレリス符号器１５０１Ａ―１５０１Ｎは、２つの多重化器（ＭＵＸ）１６０１及び１６０２と、３つのメモリ１６０３、１６０４及び１６０５と、２つの加算器１６０６及び１６０７とを含む。
【０１９７】
トレリス符号器１５０１Ａ−１５０１Ｎは、インタリーブされたデュアル伝送ストリーム（ＴＳ）におけるＳＲＳのトレリス符号化の直前に初期化を行う。詳細には、初期化のためにＡＦにおいて生成された詰め込み領域に対応するストリームを受け取ると、図２８に示すトレリス符号器１５０１Ａ乃至１５０１Ｎは初期化を行う。初期化期間が始まると、制御信号が第１のＭＵＸ１６０１及び第２のＭＵＸ１６０２に供給される。第１のＭＵＸ１６０１は、制御信号に応じて、第３のメモリ（Ｓ２）に記憶された値、又はＤ１を選択し、選択された値を第１の加算器１６０６に出力する。第２のＭＵＸ１６０２は、制御信号に応じて、第１のメモリ（Ｓ０）１６０３に記憶された値、又はＤ０を選択し、選択された値を第２の加算器１６０７に出力する。
【０１９８】
制御信号「１」が入力されると、第１のＭＵＸ１６０１は、第３のメモリ（Ｓ２）１６０５の記憶値を選択し、第１の加算器１６０６に出力する。第１の加算器１６０６は、第１のＭＵＸ１６０１の出力値を、第３のメモリ（Ｓ２）１６０５の記憶値と加算する。結果値は、Ｚ２として出力され、第３のメモリ（Ｓ２）１６０５に同時に記憶される。第１の加算器１６０６に対する２つの入力は同じであるので、第１の加算器１６０６の出力値は常に０である。よって、初期化するために０が第３のメモリＳ２（１６０５）に記憶される。
【０１９９】
そういうものとして、入力値Ｄ１は、第３のメモリ（Ｓ２）の記憶値によって置き換えられる。よって、入力値Ｄ１を含むデュアル伝送ストリームＴＳに割り当てられるパリティは誤っている。パリティを補償するために、第３のメモリ（Ｓ２）１６０５に記憶された既存値が、初期化値Ｘ１として出力され、ＲＳ再符号器１４０３に供給される。
【０２００】
第２のＭＵＸ１６０２は、制御信号が「１」の場合、第１のメモリ（Ｓ０）１６０３の記憶値を選択し、出力する。第２のＭＵＸ１６０２の出力値は、Ｚ１として出力され、第２の加算器１６０７に同時に供給される。第２のＭＵＸ１６０２の出力値は、初期化値Ｘとしても出力される。第１のメモリ（Ｓ０）１６０３に記憶された値は、第２の加算器１６０７に直接供給される。よって、第２の加算器１６０７は２つの同じ値を加え、「０」を出力する。同時に、第２のメモリ（Ｓ１）１６０４に記憶された既存値は、第１のメモリ（Ｓ０）１６０３にシフトさせられる。第２のメモリ（Ｓ１）１６０４に記憶された既存値はＺ０として出力される。
【０２０１】
制御信号１がもう一度入力されると、第２のメモリ（Ｓ１）１６０４に記憶された値（すなわち、「０」）が第１のメモリ（Ｓ０）１６０３にシフトさせられるので、第１のメモリ（Ｓ０）１６０３も初期化される。同時に、第２のＭＵＸ１６０２は、第１のメモリ（Ｓ０）１６０３に記憶された現行値（すなわち、初期化前に第２のメモリ（Ｓ１）１６０４に記憶された値）をＸ０値として出力する。Ｘ０値は更に、Ｘ１値とともにＲＳ再符号器１４０３に供給される。
【０２０２】
非初期化期間については、制御信号０が第１のＭＵＸ１６０１及びＭＵＸ１６０２に入力される。よって、Ｄ０及びＤ１がそれぞれ選択されるにつれ、トレリス符号化が進む。制御信号「０」又は「１」は、別個に装備された制御信号生成器（図示せず）から受け取ることが可能である。
【０２０３】
前述の通り、初期化が進むと、図２８に示すようなトレリス符号器１５０１Ａ−１５０１Ｎそれぞれは、予め記憶されている内部メモリ値に対応する値を初期化値として出力する。
【０２０４】
一方、２つのメモリ１６０３及び１６０４が第２のＭＵＸ１６０２に配置され、制御信号の２シンボルが、メモリ１６０３及び１６０４の初期化のために必要である。３つのメモリ１６０３、１６０４及び１６０５全てを用いて生成することが可能な初期化状態が８つ存在している（０００、１１１、００１、０１０、１００、１１０、１０１、０１１）。各初期化状態に対応するＸ０値及びＸ１値をそれぞれＲＳ再符号器１４０３に供給してパリティを変更する。ＲＳ再符号器１４０３の動作は前述している。
【０２０５】
図２８に示すようなトレリス符号器１５０１Ａ−１５０１Ｎのリセット処理は、以下の表に基づいて規定される。
【０２０６】
【表１】
2009524944.tif 000003
表１では、制御信号（すなわち、リセット信号）がｔ＝０で「１」になると初期化が開始し、Ｓ０、Ｓ１及びＳ２はｔ＝２後は全て０になる。そういうものとして、初期化は、２シンボルのクロック周期中に完了する。
【０２０７】
図２９乃至図３３は、本発明の実施例による、補助基準信号（ＳＲＳ）を有するデュアル伝送ストリーム（ＴＳ）の種々の構造を示す概念図である。図２９を参照すれば、パケットＡは、ＴＳ生成器１１０１で受け取られるターボ・ストリーム・パケットであり、パケットＢは、ＳＲＳデータ及びターボ・ストリームを挿入するための詰め込み領域を有する通常ストリーム・パケットであり、パケットＣは、詰め込み領域にＳＲＳ及びターボ・ストリームを挿入させたデュアルＴＳパケットである。パケットＡでは、１８８バイトのターボ・ストリーム・パケットは、ヘッダである１バイトのＳＹＮＣ、３バイトのＰＩＤ、及び１８４バイトのターボ・データを有する。
【０２０８】
パケットＢでは、１８８バイトの通常ストリーム・パケットは、ヘッダである１バイトのＳＹＮＣと、３バイトのＰＩＤと、ＡＦである２バイトのＡＦヘッダと、ＳＲＳ挿入のためのＳバイトの詰め込み領域と、ターボ・データ挿入のためのＮバイトの詰め込み領域と、ペイロードである１８２−Ｓ−Ｎバイトの通常データとを有する。  
パケットＣは、ＳＲＳデータが詰め込み領域Ｓに挿入され、ターボ・ストリーム・パケットの一部がパケットＢの詰め込み領域Ｎに挿入されるように構成される。パケットＣについては、１８８バイトのデュアルＴＳパケットは、ヘッダである１バイトのＳＹＮＣと、３バイトのＰＩＤと、ＡＦである２バイトのＡＦヘッダと、ＳバイトのＳＲＳデータと、Ｎバイトのターボ・データと、ペイロードである１８２−Ｓ−Ｎバイトの通常データとを有する。
【０２０９】
図３０は、別の例示的なデュアル伝送ストリーム（ＴＳ）を示す。図２１Ｂに示すデュアル伝送ストリーム（ＴＳ）では、ターボ・ストリームの７８パケットが、デュアルＴＳの１フィールドの３１２のセグメントのパケットに挿入される。デュアル伝送ストリーム（ＴＳ）は、一タ―ボ・ストリーム・パケット（１８８バイト）及び３つの通常ストリーム・パケットが１：３の比で編成される４つのパケットを反復することにより、構成される。デュアル伝送ストリーム（ＴＳ）の３１２のセグメントにターボ・ストリームの７０パケットが挿入される場合、１；３の比に一ターボ・ストリーム・パケット（１８８バイト）及び３つの通常ストリーム・パケット（１８８バイト）が編成される４つのパケットを７０回反復し、残りの３２パケットを通常ストリーム・パケットで編成することによって構成される。
【０２１０】
図３１は、更に別の例示的なデュアル伝送ストリーム（ＴＳ）を示す。図３１に示すデュアル伝送ストリーム（ＴＳ）では、ターボ・ストリームの８８のパケットが、デュアルＴＳの１フィールドの３１２のセグメントのパケットに挿入される。デュアル伝送ストリーム（ＴＳ）は。ターボ・ストリームの２パケット（１８８バイト）及び通常ストリームの２パケット（１８８バイト）が編成される４パケット、並びに、ターボ・ストリームの１パケットの１８８バイト及び通常ストリームの３パケット（１８８バイト）が、図３０に示すように１：３の比で編成される4パケットを反復して編成することによって構成される。
【０２１１】
図３２は、更に別の例示的なデュアル伝送ストリーム（ＴＳ）を示す。図２１Ｄに示すデュアル伝送ストリーム（ＴＳ）は、図２９に示すパケットＣと、図３０に示すもののとの組み合わせである。図３２に示すデュアル伝送ストリーム（ＴＳ）は、ターボ・ストリームの１パケット（１８８バイト）と、ＡＤフィールドの一部にＳＲＳデータ及びターボ・データを挿入させた通常ストリームの１パケットと、通常ストリームの２パケットが配置された４つのパケットを反復して編成することによって構成される。
【０２１２】
図３３は、図２９に示すパケットＣのように多重化されたデュアル伝送ストリーム（ＴＳ）の５２セグメントのパケットのみを示す概念図である。図３３では、ターボ・データ（すなわち、ターボ・ストリーム）がＳＲＳデータ後に挿入される。トンネリング・データ・チャネル（ＴＤＣ）は、必要な場合にユーザが用いる対象の空き領域である。ＴＤＣは、詰め込み領域において最大６バイトを占め得る。ＴＤＣは、フロントエンド及び詰め込み領域（ＳＲＳが記録される部分）に、又はＳＲＳデータ間に配置することができる。
【０２１３】
３１２のセグメントが、５２のセグメントに分けられるとすれば、任意フィールドの位置は以下のように表すことが可能である。
【０２１４】
６バイト使用のＰＣＲ  ５２ｎ＋１５，ｎ＝０
６バイト使用のＯＰＣＲ  ５２ｎ＋１５，ｎ＝１
２バイト使用の適応フィールド拡張長  ５２ｎ＋１５，ｎ＝２
５バイト使用の伝送プライベート・データ長  ５２ｎ＋１５，ｎ＝３，４，５
１バイト使用のスプライス・カウントダウン  ５２ｎ＋１５，ｎ＝０，１，２，３，４，５
例として、「ＰＣＲ」は、ｎ＝０での位置にＰＣＲが存在している旨を表す。
【０２１５】
ＡＦの任意フィールドを除く詰め込み領域にＳＲＳデータを挿入させたデュアルＴＳパケットは違ったふうに構成することが可能である。ターボ・データのレートはデュアルＴＳパケットの構造によって調節可能である。
【０２１６】
図３４は、第２のインタリーブ器１１１７によってインタリーブされた例示的なストリーム構造を示す概念図である。図３４では、詰め込みバイトである「Ａ」はＳＲＳ１乃至２７を示す。初期化された詰め込みバイトである「Ｂ」は、トレリス／パリティ訂正器１１１９を初期化する領域を示す。ＲＳ再符号化パリティである「Ｃ」は、トレリス符号器の初期化によって変更されたパケットに対応するパリティが、再生成されたパリティによって置き換えられた領域を示す。ＲＳパリティである「Ｄ」は、ＲＳ符号化によって生成されたパリティ領域を示す。
【０２１７】
図３５は、ＳＲＳを挿入させたデュアル伝送ストリーム（ＴＳ）を出力する、本発明の更に別の実施例によるディジタル放送送信システムのブロック図である。図３５に示すように、ディジタル放送送信システムは、トレリスパリティ訂正器１１１９がトレリス符号器１７００及び互換性パリティ生成器１７５０を有するように実現することが可能である。
【０２１８】
トレリス符号器１７００は、第２のインタリーブ器１１１７によってインタリーブされたデュアル伝送ストリーム（ＴＳ）をトレリス符号化する。この時点で、トレリス符号器１７００は、ＳＲＳデータのトレリス符号化の直前に初期化を行う。
【０２１９】
トレリス符号器１７００は、インタリーブされたパケットをトレリス符号化する通常モード、トレリス符号器１７００を初期化する初期化モード、及び、ＲＳ符号器１１１６によって加えられたパリティの一部又は全ての代わりに、置き換えられた互換性パリティを挿入するパリティ交換モードのうちの１つにおいて動作する。通常モードでの動作中、初期化モードを指示する制御信号が受け取られると、トレリス符号器１７００は初期化モードで動作する。パリティ交換モードを指示する制御信号が受け取られると、トレリス符号器１７００はパリティ交換モードで動作する。動作モードは、制御信号生成器（図示せず）から供給される制御信号に応じて定めることが可能である。そうするために、制御信号生成器（図示せず）は、ＳＲＳデータが挿入される位置、トレリス符号器１７００の初期化のために挿入される値の位置、及び互換性パリティを変更する位置を事前に知っている必要がある。
【０２２０】
互換性パリティ生成器１７５０は、第２のＲＳ符号器１１１５によってパリティを加えたパケットと、トレリス符号器１７００によって符号化されたパケットとを受け取り、受け取られたパケットに基づいて互換性パリティを生成し、生成された互換性パリティをトレリス符号器１７００に供給する。トレリス符号器１７００は、互換性パリティをデュアル伝送ストリーム（ＴＳ）に挿入することにより、パリティを補償する。
【０２２１】
ＭＵＸ１１２１は、セグメント同期信号及びフィールド同時信号を加えることにより、トレリス符号化パケットを多重化する。変調器１１２３は、セグメント同期信号及びフィールド同期信号を加えたパケットに対してチャネル変調を行い、ＲＦチャネル帯信号にアップコンバートし、アップコンバート信号を送信する。
【０２２２】
図３６は、図３５に示すディジタル放送送信システムに適用される例示的な互換性パリティ生成器１７５０のブロック図である。図３６に示すように、互換性パリティ生成器１７５０は、シンボル・デインタリーブ器２９０１と、デインタリーブ器２９０３と、記憶装置２９０５と、ＲＳ符号器２９０７と、インタリーブ器２９０９と、シンボル・インタリーブ器２９１１とを含む。
【０２２３】
シンボル・デインタリーブ器２９０１は、トレリス符号器１７００によって符号化されたパケットを受け取り、シンボル・マッピングされたパケットにシンボル・インタリーブをバイト単位で行う。デインタリーブ器２９０３は、シンボル・デインタリーブされたパケットをデインタリーブする。
【０２２４】
記憶装置２９０５は、ＲＳ符号器１１１５によって符号化されたパケットを受け取り、受け取られたパケットの少なくとも一部を、デインタリーブ器２９０３においてデインタリーブされたパケットによって置き換え、次いで、置き換えられたパケットを記憶する。記憶装置２９０５は、符号化パケット、及びデインタリーブされたパケットの異なる部分のみを置き換えることによってパケットを記憶することができる。記憶装置２９０５は、制御信号生成器から受け取られた制御信号によって制御することが可能である。
【０２２５】
ＲＳ符号器２９０７は、互換性パリティを、記憶されたパケットに加える。インタリーブ器２９０９は、互換性パリティを加えたパケットをインタリーブする。シンボル・インタリーブ器２９１１は、インタリーブされたバイト単位のパケットのシンボルをインタリーブし、シンボル・インタリーブされたパケットをトレリス符号器１７００に供給する。
【０２２６】
図３７は、本発明の更なる実施例によるディジタル放送送信システムのブロック図である。図３７に示すように、ディジタル放送送信システムは、ＴＳ生成器５００と、ランダム化器４１０と、ＳＲＳ生成器４１５と、ＲＳ符号器４２０と、インタリーブ器４３０と、ターボ・プロセッサ４４０と、トレリス／パリティ訂正器４５０と、ＭＵＸ４６０と、パイロット挿入器４７０と、前置等化器４４８０と、ＶＳＢ変調器４９０と、ＲＦ変調器４９５とを含む。図２５のディジタル放送システムは、ＳＲＳ生成器１８０５が図１８のディジタル放送送信システムに加えられた構造を有する。よって、ＳＲＳ信号、通常ストリーム及びターボ・ストリームを含むデュアル伝送ストリーム（ＴＳ）は、より単純化された構造の送信システムを介して送信することが可能である。  
ＴＳ生成器５００が、詰め込み領域、通常ストリーム及びターボ・ストリームを含むデュアル伝送ストリーム（ＴＳ）を構成する場合、ランダム化器４１０は、デュアル伝送ストリーム（ＴＳ）をランダム化し、ランダム化デュアル伝送ストリーム（ＴＳ）をＳＲＳ生成器４１５に供給する。ＳＲＳ生成器４１５は、ランダム化デュアル伝送ストリーム（ＴＳ）における詰め込み領域の全部又は一部にＳＲＳ信号を挿入する。
【０２２７】
ＲＳ符号器４２０は、ＳＲＳを挿入させたデュアル伝送ストリーム（ＴＳ）を符号化し、インタリーブ器４３０は、符号化デュアル伝送ストリーム（ＴＳ）をインタリーブする。
【０２２８】
ターボ・プロセッサ４４０は、インタリーブされたデュアル伝送ストリーム（ＴＳ）におけるターボ・ストリームを畳み込み符号化し、畳み込み符号化されたターボ・ストリームをインタリーブする。次に、ターボ・プロセッサ４４０は、インタリーブされたターボ・ストリームをデュアル伝送ストリーム（ＴＳ）にもう一度挿入することにより、デュアル伝送ストリーム（ＴＳ）を再構成する。
【０２２９】
ターボ・プロセッサ４４０において再構成されたデュアル伝送ストリーム（ＴＳ）は、トレリス／パリティ訂正器４５０によってトレリス符号化される。トレリス／パリティ訂正器４５０は、ＳＲＳ符号化前に初期化を進め、初期化によって変更された値に応じてパリティを補償する。特に、トレリス／パリティ訂正器４５０は、図２６に示すようなやり方で実現することが可能である。トレリス／パリティ訂正器４５０の動作は、図２５及び図２６を参照して詳細に説明しているので、その更なる説明は、話を単純にするために割愛する。
【０２３０】
トレリス符号化デュアル伝送ストリーム（ＴＳ）は、ＭＵＸ４６０により、セグメント同期信号及びフィールド同期信号と多重化される。パイロット挿入器４７０、前置等化器４８０、ＶＳＢ変調器４９０及びＲＦ変調器４９５の動作は、図１８中の動作と同じであり、それらの詳細な説明は話を簡潔にするために割愛する。
【０２３１】
図３８は、本発明の実施例によるディジタル放送受信システムのブロック図である。図３８を参照すれば、ディジタル放送受信システムは、復調器１９０１と、等化器１９０３と、第１のプロセッサ１９００と、第２のプロセッサ１９５０とを有する。
【０２３２】
復調器１９０１は、受け取られたデュアル伝送ストリーム（ＴＳ）のベースバンド信号に加えられた同期信号に応じて同期を検出し、復調を行う。等化器１９０３は、復調デュアル伝送ストリーム（ＴＳ）を等化し、チャネル・マルチパスによるチャネル歪みを補償することにより、受け取られたシンボルの干渉を除去する役割を果たす。
【０２３３】
第１のプロセッサ１９００は、ビタビ復号器１９０５と、第１のデインタリーブ器１９０７と、第１のＲＳ復号器１９０９と、第１のデランダム化器１９１１とを有する。ビタビ復号器１９０５は、等化されたデュアル伝送ストリーム（ＴＳ）の通常ストリームにおける誤りを訂正し、誤り訂正シンボルを復号化し、シンボル・パケットを出力することが可能である。復号化パケットにより、第１のインタリーブ器１９１５によって拡散させられたパケットが再編成され得る。デインタリーブされたパケットにおける誤りは、第１のＲＳ復号器１９０９によって訂正され、訂正パケットは、第１のデランダム化器１９１１によってデランダム化される。したがって、デュアル伝送ストリーム（ＴＳ）の通常ストリームが回復される。
【０２３４】
第２のプロセッサ１９５０は、ターボ復号器１９１３と、第２のデインタリーブ器１９１５と、パリティ除去器１９１７と、第２のデランダム化器１９１９と、ターボＤＥ−ＭＵＸ１９２１とを含む。
【０２３５】
ターボ復号器１９１３は、等化デュアル伝送ストリーム（ＴＳ）におけるターボ・ストリームをターボ復号化する。この時点で、ターボ復号器１９１３は、デュアル伝送ストリーム（ＴＳ）を逆多重化することにより、ターボ・ストリームのみを検出することが可能である。逆多重化によって分離される通常ストリームは、別個に設けられるＭＵＸ（図示せず）により、ビタビ復号器１９０５から出力される通常ストリームと多重化することが可能である。
【０２３６】
本明細書及び特許請求の範囲では、ターボ復号化により、等化デュアル伝送ストリーム（ＴＳ）のターボ・ストリームに対するトレリス符号化が示唆される。
【０２３７】
第２のデインタリーブ器１９１５は、ターボ復号化されたターボ・ストリームをデインタリーブする。パリティ除去器１９１７は、デインタリーブされたターボ・ストリームに加えられたパリティを除去する。第２のデランダム化器１９１９は、パリティが除去されるターボ・ストリームをデランダム化する。ターボＤＥ−ＭＵＸ１９２１は、デランダム化ターボ・ストリームを逆多重化することにより、ターボ・データを回復する。
【０２３８】
図３９は、図３８に示す例示的なターボ復号器１９１３のブロック図である。図３９のターボ復号器１９１３は、トレリス復号器２００１と、外デインタリーブ器２００３と、外インタリーブ器２００５と、外マップ復号器２００７と、フレーム・フォーマッタ２００９と、シンボル・デインタリーブ器２０１１とを有する。
【０２３９】
トレリス復号器２００１は、等化デュアル伝送ストリーム（ＴＳ）におけるターボ・ストリームをトレリス復号化し、トレリス復号化ターボ・ストリームをターボ・デインタリーブ器２００３に供給する。ターボ・デインタリーブ器２００３は、トレリス復号化ターボ・ストリームをデインタリーブする。
【０２４０】
外マップ復号器２００５は、デインタリーブされたターボ・ストリームを畳み込み復号化することが可能である。外マップ復号器２００５は、畳み込み復号化の結果に応じて軟判定出力値又は硬判定出力値を出力する。軟判定及び硬判定は、ターボ・ストリームのマトリクスによって行われる。例えば、ターボ・ストリームのメトリックが０．８の場合、０．８の軟判定値が出力される。ターボ・ストリームのメトリックが１の場合、硬判定が出力される。
【０２４１】
外マップ復号器２００５の軟判定出力値がフレーム・フォーマッタ２００９に供給される。この場合、軟判定出力値により、ターボ・ストリームが示唆される。
【０２４２】
フレーム・フォーマッタ２００９は、デュアル伝送ストリーム（ＴＳ）のフレームに応じて畳み込み復号化された軟判定ターボ・ストリームをフォーマッティングする。
【０２４３】
シンボル・デインタリーブ器２０１１は、フレーム・フォーマッティングされたターボ・ストリームをシンボルからバイトにデインタリーブすることが可能である。シンボルからバイトへのインタリーブは、更には説明しないものとする。ＡＴＳＣ  ＤＴＶ標準（Ａ／５３）の表Ｄ５．２を参照されたい。この情報は本明細書及び特許請求の範囲に援用する。ターボ復号器１９１３は、シンボル・デインタリーブ器２０１１なしで動作可能である。
【０２４４】
軟判定が外マップ復号器２００５から出力されると、外インタリーブ器２００５は、ターボ・ストリームをインタリーブし、インタリーブされたタ―ボ・ストリームをトレリス復号器２００１に供給する。トレリス復号器２００１は、インタリーブされたターボ・ストリームをもう一度トレリス復号化し、インタリーブされたターボ・ストリームをデインタリーブ器２００３に供給する。外デインタリーブ器２００３は、ターボ・ストリームを再デインタリーブし、外マップ復号器２００７に供給する。トレリス復号器２００１、外デインタリーブ器２００３、及び外インタリーブ器２００５は、軟判定が出力されるまで反復して動作し得る。したがって、高信頼度の復号化値を獲得することが可能である。
【０２４５】
図４０は、本発明の別の実施例によるディジタル放送受信システムのブロック図である。図４０に示すように、消去復号器２１００は、図３９に示すディジタル放送受信システムの第２のプロセッサ１９５０に更に加えられる。
【０２４６】
ディジタル放送送信システムのＴＳ生成器３００又は５００が、図１１に示す消去符号器３５０を示す場合、消去復号器２１００は、ディジタル放送受信システムに、適宜加えることが可能である。よって、消去復号化が、雑音除去のために行われた後、ターボ・ストリームが回復される。他の構成要素は図３９と同じであるので、それらの説明は、話を簡潔にするために割愛する。一方、図３８及び図４０のディジタル放送受信システムでは、第２のプロセッサ１９５０は、デインタリーブされたターボ・ストリームをＲＳ復号化するＲＳ復号器（図示せず）を含み得る。
【０２４７】
図４１は、本発明の更に別の実施例によるディジタル放送受信システムのブロック図である。図４１に示すように、ディジタル放送受信システムは、復調器２２０１と、等化器２２０３と、ビタビ復号器２２０５と、ターボ復号器２２０７と、ターボ挿入器２２０９と、デインタリーブ器２２１１と、ＲＳ復号器２２１３と、デランダム化器２２１５と、ターボＤＥ−ＭＵＸ２２１７とを含む。
【０２４８】
復調器２２０１は、受け取られたデュアル伝送ストリーム（ＴＳ）のベースバンド信号に加えられた同期信号に応じて同期を検出し、復調を行う。等化器２２０３は、復調デュアル伝送ストリーム（ＴＳ）を等化することにより、チャネル・マルチパスによるチャネル歪みを補償する。ビタビ復号器２２０５は、等化デュアル伝送ストリーム（ＴＳ）における誤りを訂正し、誤り訂正シンボルを復号化する。
【０２４９】
ターボ復号器２２０７は、等化デュアル伝送ストリーム（ＴＳ）のターボ・ストリームのみをターボ復号化する。ターボ復号器２２０７は、図３９に示すやり方で実現することが可能であり、更に説明しないものとする。ターボ挿入器２２０９は、ターボ復号器２２０７によってターボ復号化されたデュアル伝送ストリーム（ＴＳ）をビタビ復号化デュアル伝送ストリーム（ＴＳ）に挿入する。そうするうえで、ターボ・ストリームは、ターボ復号化されたターボＴＳから抽出し、ビタビ復号化デュアル伝送ストリーム（ＴＳ）のターボ・ストリームに対応する領域に挿入することが可能である。ターボ・ストリームに対応する領域は、パケットＡＦの一部又は全体であり得る。
【０２５０】
デインタリーブ器２２１１は、ターボ・ストリームを挿入させたデュアル伝送ストリーム（ＴＳ）をデインタリーブする。ＲＳ復号器２２１３は、デインタリーブされたパケットを復号化することにより、誤りを訂正する。デランダム化器２２１５は、誤り訂正パケットをデランダム化する。ターボＤＥ−ＭＵＸ２２１７は、デランダム化パケットを逆多重化することにより、通常ストリーム及びターボ・ストリームを回復する。
【０２５１】
図４２及び図４３は、本発明の実施例によるターボＤＥ−ＭＵＸ２２１７のブロック図である。図４２に示すように、ターボＤＥ−ＭＵＸ２２１７は、ＴＳ  ＤＥ−ＭＵＸ２３０１と、デインタリーブ器２３０２と、コンデンサ２３０３と、ＲＳ復号器２３０４と、第１のＳＹＮＣ挿入器２３０５及び第２のＳＹＮＣ挿入器２３０６とを含む。
【０２５２】
ＴＳ  ＤＥ−ＭＵＸ２３０１は、デランダム化パケットを逆多重化することにより、通常ストリーム及びターボ・ストリームを分離する。ＴＳ  ＤＥ−ＭＵＸ  ２３０１において逆多重化された通常ストリームは、同期信号を第１のＳＹＮＣ挿入器２３０５によって挿入することにより、１８８バイトの通常ストリームに回復される。
【０２５３】
デインタリーブ器２３０２は、逆多重化ターボ・ストリームをデインタリーブする。コンデンサ２３０３は、デインタリーブされたターボ・ストリーム内の空き領域（プレースホルダ）を除去する。空き領域は、ＲＳ符号化においてパリティを挿入するために、ディジタル放送送信システムにおけるＴＳ生成器３００又は５００のデュプリケータによって生成される。空き領域が、１／４レート又は１／２レートで生成された場合、ターボ・ストリームは、１／４レート又は１／２レートだけ縮減することが可能である。
【０２５４】
ＲＳ復号器２３０４は、空き領域が除去されるターボ・ストリームを復号化する。第２のＳＹＮＣ挿入器２３０６は、同期信号（ＳＹＮＣ）を復号化ターボ・ストリームに挿入することにより、１８８バイトのターボ・ストリームを回復する。図８で前述したように、ターボ・ストリームの同期信号がデュアル伝送ストリーム（ＴＳ）の生成において除去された場合、ターボ・ストリームを再生成するために、第２のＳＹＮＣ挿入器２３０６に同期信号を挿入することが必要である。
【０２５５】
図４３のターボＤＥ−ＭＵＸ２２１７は、ＴＳ  ＤＥ−ＭＵＸ２３０１と、デインタリーブ器２３０２と、コンデンサ２３０３と、ＲＳ復号器２３０４と、第１のＳＹＮＣ挿入器２３０５と、ＳＹＮＣ検出器２３０７とを含む。図８とは違い、ターボ・ストリームの同期信号は、デュアル伝送ストリーム（ＴＳ）の生成において除去されないことがあり得る。この場合、ターボ・ストリームの同期信号は一緒に受け取られるので、図４２と違ったふうに同期信号を挿入する必要はない。
【０２５６】
ＳＹＮＣ検出２３０７は、空き領域が除去されるターボ・ストリームを受け取り、受け取られたターボ・ストリームの同期信号値０ｘ４７を検査し、同期信号後の１８７バイトをＲＳ復号器２３０４に出力する。同期信号値０ｘ４７は、一パケットにおける同期信号の値を表し、一パケットは、１８８バイトのうちの１バイトの同期信号を除く１８７バイトを有する。よって、同期信号から１８７バイトの値を検出することが好ましい。
【０２５７】
ＲＳ復号器２３０４は、同期信号が検出される１８８バイトのターボ・ストリームの誤りを訂正し、次いでターボ・ストリームを回復する。
【０２５８】
図４４は、本発明の更に別の実施例によるディジタル放送受信システムのブロック図である。図４４に示すように、図４１に示すディジタル放送受信システムに消去復号器２４００が更に加えられるようにディジタル放送受信システムが構成される。
【０２５９】
ディジタル放送送信システムのＴＳ生成器３００又は５００が、図１１に示す消去符号器３５０を含んで実現される場合、消去復号器２４００は、ディジタル放送受信システムに、適宜加えることが可能である。よって、雑音除去のための消去復号化の後、ターボ・ストリームが回復される。他の構成要素は図４１と同じであるので、それらの説明は、割愛する。
【０２６０】
図４５は、本発明の実施例によるディジタル放送信号送信処理を略述するフローチャートである。図４５を参照すれば、まず、動作Ｓ２５０１で、デュアル伝送ストリーム（ＴＳ）が、通常ストリーム及びターボ・ストリームを多重化することによって構成される。特に、ターボ・ストリームが内部モジュール又は外部モジュールから受け取られると、符号化及び／又はインタリーブが行われた後、パリティを挿入するための第２のパリティ挿入領域が生成される。この時点で、ターボ・ストリームに対する消去符号化を更に行うことができる。
【０２６１】
次に、第２のパリティ挿入領域を有するデュアル伝送ストリーム（ＴＳ）が動作Ｓ２５０３でランダム化される。パリティを挿入するための第１のパリティ挿入領域は、Ｓ２５０５で、誤り訂正のために、ランダム化デュアル伝送ストリーム（ＴＳ）内に設けられ、デュアル伝送ストリーム（ＴＳ）は動作Ｓ２５０７でインタリーブされる。次に、ターボ処理が、動作Ｓ２５０９で、インタリーブされたデュアル伝送ストリーム（ＴＳ）のターボ・ストリームに対して行われる。ターボ処理後、デュアル伝送ストリーム（ＴＳ）が、動作Ｓ２５１３で、第１のパリティ挿入領域を挿入することによって符号化され、動作Ｓ２５１５でインタリーブされる。
【０２６２】
次に、インタリーブされたデュアル伝送ストリーム（ＴＳ）が動作Ｓ２５１７でトレリス符号化される。トレリス符号化デュアル伝送ストリーム（ＴＳ）、セグメント同期信号及びフィールド同期信号は、動作Ｓ２５１９で多重化される。ＶＳＢ変調及びＲＦ変換を経た後、デュアル伝送ストリーム（ＴＳ）が動作Ｓ２５２１において送信される。
【０２６３】
図４６は、本発明の別の実施例によるディジタル放送送信信号処理方法を略述するフローチャートである。図４６に示すように、デュアル伝送ストリーム（ＴＳ）は、動作Ｓ３３０１で構成され、動作Ｓ３３０２でランダム化され、次いで、動作Ｓ３３０３でＲＳ符号化される。
【０２６４】
次に、動作Ｓ３３０４でデュアル伝送ストリームＴＳをインタリーブした後、ターボ・ストリームのみが、動作Ｓ３３０５でターボ処理を経る。ターボ処理は既に例証しているので、この説明は割愛する。
【０２６５】
ターボ処理されたターボ・ストリームを含むデュアル伝送ストリーム（ＴＳ）がトレリス符号化された後、ターボ処理によるパリティ誤りが動作Ｓ３３０６で補償される。デュアル伝送ストリーム（ＴＳ）が、動作Ｓ３３０７で、同期信号を加えるよう多重化され、動作Ｓ３３０８で変調され、送信される。図４６に示すように、ディジタル放送信号は、図４５に示すディジタル放送送信信号処理方法よりも単純に送信することが可能である。
【０２６６】
図４７は、本発明の実施例によるターボ処理方法を略述するフローチャートである。図４７に示すように、動作Ｓ２６０１で、デュアル伝送ストリーム（ＴＳ）がシンボルによってインタリーブされた後、動作Ｓ２６０３で、逆多重化することによってターボ・ストリームが検出される。次に、Ｓ２６０５で、検出ターボ・ストリームに設けられた第２のパリティ挿入領域にパリティを挿入することにより、デュアル伝送ストリーム（ＴＳ）がターボ符号化される。動作Ｓ２６０７で、符号化ターボ・ストリームがインタリーブされ、動作Ｓ２６０９で、デュアル伝送ストリーム（ＴＳ）を多重化することにより、デュアル伝送ストリーム（ＴＳ）が再構成される。再構成されたデュアル伝送ストリーム（ＴＳ）は、動作Ｓ２６１１で、シンボルによってデインタリーブされる。そうするうえで、動作Ｓ２６０１におけるシンボル・インタリーブ、及び動作Ｓ２６１１におけるシンボル・デインタリーブは省略することが可能である。
【０２６７】
図４８は、本発明の一実施例によるディジタル放送信号受信方法を略述するフローチャートである。図４８では、デュアル伝送ストリーム（ＴＳ）が受け取られると、受け取られたデュアル伝送ストリームが動作Ｓ２７０１で復調され、動作Ｓ２７０３でチャネル等化を経る。
【０２６８】
次に、通常ストリーム及びターボ・ストリームがそれぞれ分離され、復号化される。より詳細には、通常ストリームは、動作Ｓ２７０５でビタビ復号化され、動作Ｓ２７０９でデインタリーブされ、次いで、動作Ｓ２７０９でＲＳ復号化される。次に、動作Ｓ２７１１で、ＲＳ復号化された通常ストリームをデランダム化することにより、通常ストリーム・パケットが回復される。通常ストリーム処理方法は、既存の受信システムを用いることによって行うことが可能である。
【０２６９】
ターボ・ストリームは動作Ｓ２７１３でターボ復号化される。ターボ復号化されたターボ・ストリームは次いで、動作Ｓ２７１５でデインタリーブされる。動作Ｓ２７１７でパリティを除去した後、ターボ・ストリームが動作Ｓ２７１９でデランダム化される。次に、動作Ｓ２７２１で、デランダム化されたターボ・ストリームを逆多重化することにより、ターボ・ストリーム・パケットが回復される。
【０２７０】
消去符号化がディジタル放送信号送信処理において行われる場合、回復されたターボ・ストリーム・パケットの消去復号化を更に行うことが可能である。  
図４９は、本発明の実施例によるターボ復号化方法を略述するフローチャートである。図４９を参照すれば、デュアル伝送ストリーム（ＴＳ）のターボ・ストリームが動作Ｓ２８０１においてトレリス復号化される。トレリス復号化ターボ・ストリームは、動作Ｓ２８０３で外デインタリーブされ、次いで、動作Ｓ２８０７で外復号化される。
【０２７１】
硬判定出力値が外復号化によって出力された場合、動作Ｓ２８０９で、硬判定ターボ・ストリームが、デュアル伝送ストリーム（ＴＳ）のフレームに応じてフォーマッティングされ、動作Ｓ２８１１でシンボル・インタリーブされる。
【０２７２】
対照的に、軟判定出力値が外復号化によって出力された場合、外インタリーブが動作Ｓ２８０５で行われる。外インタリーブされたターボ・ストリームは、動作Ｓ２８０１及び動作Ｓ２８０３で、トレリス復号化及び外デインタリーブを経る。したがって、高信頼度硬判定ターボ・ストリームを取得することが可能である。
【０２７３】
図５０は、本発明の実施例によるターボ逆多重化処理方法を略述するフローチャートである。図５０を参照すれば、動作Ｓ３６０１で、ターボ・ストリーム及び通常ストリームは、デュアル伝送ストリーム（ＴＳ）を逆多重化することによって分離される。動作Ｓ３６０２でターボ・ストリームをデインタリーブした後、空き領域（すなわち、プレースホルダ）が動作Ｓ３６０３で除外される。
【０２７４】
次に、動作Ｓ３６０４でターボ・ストリームがＲＳ復号化され、動作Ｓ３６０５で、同期信号を挿入することにより、ターボ・ストリーム・パケットが回復される。逆多重化された通常ストリームについては、動作Ｓ３６０５で、同期信号を挿入することにより、通常ストリーム・パケットが回復される。
【０２７５】
前述の通り、本願のディジタル放送伝送ストリーム（ＴＳ）をロバストに処理し、伝送する方法、ディジタル放送送受信システム、及びその信号処理方法は、通常ストリーム及びターボ・ストリームを含むデュアル伝送ストリーム（ＴＳ）に関する情報交換及びマッピングにより、ＡＴＳＣ  ＶＳＢによる米国における地上波ＤＴＶシステムの受信特性を向上させることを目的とする。したがって、本発明のディジタル放送送信システムは、既存の通常データ送信システムとの互換性を有し、広範囲にわたる受信環境において受信特性を向上させ得る。前述のターボ・ストリームは、ＡＴＳＣの要求を満たし、ＡＴＳＣ  ＶＳＢとの互換性を有する一方で、標準の通常ストリームと併せてロバストな別個のストリームを提供する。その結果、本発明によるディジタル放送送受信システムの種々の例示的な実施例は、現行ディジタル・テレビジョン（ＤＴＶ）システムと後方互換に留まる一方で、マルチパス・フェージング・チャネルによって影響されることなく、特性において高ロバスト性が要求されるモバイル及びハンドヘルドの放送アプリケーションにおいて効果的に用いることが可能である。
【０２７６】
図３、図４、図１２に示すディジタル放送送信システムの種々の構成部分、図１８、図２５、図３５及び図３７に示すディジタル放送送信システム、並びに、同様に、図３８、図４０、図４１及び図４４に示すディジタル放送受信システムの種々の構成部分は、ハードウェア（例えば、特定用途向集積回路（ＡＳＩＣ）など）で実現することが可能である。しかし、適宜、ソフトウェア、ハードウェア、又はそれらの組み合わせを利用することが可能である。特に、ソフトウェア・モジュールは種々のソフトウェア言語（Ｃ、Ｃ＋＋、ジャバ、ビジュアル・ベーシックや他の多くのものを含む）によって記述することが可能である。前述のソフトウェア・モジュールは、１つ又は複数のマシン読み取り可能な記憶媒体（動的ランダム・アクセス・メモリ（ＤＲＡＭ）又は静的ランダム・アクセス・メモリ（ＳＲＡＭ）、消去可能なプログラマブル・リードオンリー・メモリ（ＥＰＲＯＭ）、電気的に消去可能なプログラムブル・リードオンリ・メモリ（ＥＥＰＲＯＭ）及びフラッシュ・メモリ、固定ディスク、フロッピー（登録商標）・ディスクや取り外し可能なディスクなどの磁気ディスク、テープを含む他の磁気媒体、並びに、コンパクト・ディスク（ＣＤ）やディジタル・ビデオ・ディスク（ＤＶＤ）などの光媒体）を含み得る。ソフトウェア・ルーチン又はモジュールの命令は、種々の多くのやり方のうちの１つで、無線ネットワーク上の無線カードや他の計算装置にロード又は伝送することもできる。例えば、フロッピー（登録商標）ディスク、ＣＤ若しくはＤＶＤ媒体、ハード・ディスクに記憶された、又は、ネットワーク・インタフェース・カ―ド、モデムや他のインタフェースを介して伝送される命令を含むコード・セグメントは、システムにロードし、対応するソフトウェア・ルーチン又はモジュールとして実行することができる。ロード又は伝送処理では、搬送波（電話回線、ネットワーク回線、無線リンク、ケーブル等を介して伝送される）として実施されるデータ信号は、命令を含むコード・セグメントをネットワーク・ノード又はエレメントに通信することができる。前述の搬送波の形式は、電気信号、光信号、音響信号、電磁気信号や他のタイプの信号の形式であり得る。
【０２７７】
本発明の例示的な実施例とみなされるものを例証し、説明してきたが、本発明の真の範囲から逸脱しない限り、種々の変更及び修正を行うことができ、構成要素は均等物で代替させることができることを、当業者は、技術が発展するにつれ、認識するであろう。多くの修正、置換、追加及び組み合わせを行って本発明の教示を特定の状況に、その範囲から逸脱しない限り適応させることができる。したがって、本発明が、開示された種々の実施例に限定されないが、本発明が、特許請求の範囲内に収まる実施例全てを含むことが、よって意図される。
【０２７８】
本発明は一般に、ディジタル放送伝送ストリーム（ＴＳ）をロバストに処理し、伝送する方法、ディジタル放送送受信システム、及びその信号処理方法に関する。
【図面の簡単な説明】
【０２７９】
【図１】新型テレビジョンシステム委員会（ＡＴＳＣ）残留側波帯（ＶＳＢ）方式による米国における通常のディジタル・テレビジョン（ＤＴＶ）放送システムのブロック図である。
【図２】ＡＴＳＣ  ＶＳＢデータの例示的なフレーム構造の図である。
【図３】本発明の実施例によるディジタル放送送信システムのブロック図である。
【図４】図３に示すディジタル放送伝送システムの詳細なブロック図である。
【図５】本発明の実施例による例示的な伝送ストリーム（ＴＳ）生成器のブロック図である。
【図６】本発明の実施例による例示的な伝送ストリーム（ＴＳ）生成器のブロック図である。
【図７】本発明の実施例による例示的な伝送ストリーム（ＴＳ）生成器のブロック図である。
【図８】本発明の実施例による、伝送ストリーム（ＴＳ）生成器における例示的なＲＳ符号器の出力ストリーム構造の概念図である。
【図９】図４に示すディジタル放送送信システムに適用される伝送ストリーム（ＴＳ）生成器においてパリティ挿入領域が設けられるやり方を示す概念図である。
【図１０】図４に示すディジタル放送送信システムに適用される伝送ストリーム（ＴＳ）生成器においてパリティ挿入領域が設けられるやり方を示す概念図である。
【図１１】本発明の実施例による、消去符号器を含む例示的な伝送ストリーム（ＴＳ）生成器のブロック図である。
【図１２】図４に示すディジタル放送送信システムの更に詳細なブロック図である。
【図１３】本発明の実施例による、例示的なターボ・プロセッサのブロック図である。
【図１４】図１３に示すターボ・プロセッサに適用される外符号器のブロック図である。
【図１５】図１３に示すターボ・プロセッサに適用される外符号器の動作を示す概念図である。
【図１６】図１３に示すターボ・プロセッサに適用される外符号器の動作を示す概念図である。
【図１７】図１３に示すターボ・プロセッサに適用される外インタリーブ器の動作を示す概念図である。
【図１８】本発明の別の実施例によるディジタル放送送信システムのブロック図である。
【図１９】図１８に示すディジタル放送送信システムに適用される例示的なターボ・プロセッサのブロック図である。
【図２０】図３、４、１２及び１８に示すディジタル放送送信システムから送信されるデュアル伝送ストリーム（ＴＳ）の例示的な構造を示す概念図である。
【図２１】図３、４、１２及び１８に示すディジタル放送送信システムから送信されるデュアル伝送ストリーム（ＴＳ）の例示的な構造を示す概念図である。
【図２２】図３、４、１２及び１８に示すディジタル放送送信システムから送信されるデュアル伝送ストリーム（ＴＳ）の例示的な構造を示す概念図である。
【図２３】図３、４、１２及び１８に示すディジタル放送送信システムから送信されるデュアル伝送ストリーム（ＴＳ）の例示的な構造を示す概念図である。
【図２４】図３、４、１２及び１８に示すディジタル放送送信システムから送信されるデュアル伝送ストリーム（ＴＳ）の例示的な構造を示す概念図である。
【図２５】本発明の更に別の実施例によるディジタル放送送信システムのブロック図である。
【図２６】本発明の実施例による例示的なトレリス／パリティ訂正器のブロック図である。
【図２７】本発明の実施例による例示的なトレリス符号器ブロックのブロック図である。
【図２８】本発明の実施例による例示的なトレリス符号器ブロックのブロック図である。
【図２９】図２５に示すディジタル放送送信システムから送信されるデュアル伝送ストリーム（ＴＳ）の種々の構造を示す概念図である。
【図３０】図２５に示すディジタル放送送信システムから送信されるデュアル伝送ストリーム（ＴＳ）の種々の構造を示す概念図である。
【図３１】図２５に示すディジタル放送送信システムから送信されるデュアル伝送ストリーム（ＴＳ）の種々の構造を示す概念図である。
【図３２】図２５に示すディジタル放送送信システムから送信されるデュアル伝送ストリーム（ＴＳ）の種々の構造を示す概念図である。
【図３３】図２５に示すディジタル放送送信システムから送信されるデュアル伝送ストリーム（ＴＳ）の種々の構造を示す概念図である。
【図３４】本発明の実施例によるデュアル伝送ストリーム（ＴＳ）のインタリーブ・モードを示す概念図である。
【図３５】本発明の更に別の実施例によるディジタル放送送信システムのブロック図である。
【図３６】本発明の実施例による互換性パリティ生成器のブロック図である。
【図３７】本発明の更なる実施例によるディジタル放送送信システムのブロック図である。
【図３８】本発明の別の実施例によるディジタル放送受信システムのブロック図である。
【図３９】本発明の実施例による例示的なターボ復号器のブロック図である。
【図４０】本発明の別の実施例によるディジタル放送受信システムのブロック図である。
【図４１】本発明の更に別の実施例によるディジタル放送受信システムのブロック図である。
【図４２】本発明の種々の実施例による例示的なターボ逆多重化器（ＤＥ−ＭＵＸ）のブロック図である。
【図４３】本発明の種々の実施例による例示的なターボ逆多重化器（ＤＥ−ＭＵＸ）のブロック図である。
【図４４】本発明の更に別の実施例によるディジタル放送受信システムのブロック図である。
【図４５】本発明の実施例によるディジタル放送送信信号処理方法を略述するフローチャートである。
【図４６】本発明の別の実施例によるディジタル放送送信信号処理方法を略述するフローチャートである。
【図４７】本発明の実施例によるターボ・ストリーム処理方法を略述するフローチャートである。
【図４８】本発明の実施例によるディジタル放送受信信号処理を略述するフローチャートである。
【図４９】本発明の実施例によるターボ・ストリーム復号化方法を略述するフローチャートである。
【図５０】本発明の実施例によるターボ逆多重化処理方法を略述するフローチャートである。
【図１】
2009524944.tif 000004
【図２】
2009524944.tif 000005
【図３】
2009524944.tif 000006
【図４】
2009524944.tif 000007
【図５】
2009524944.tif 000008
【図６】
2009524944.tif 000009
【図７】
2009524944.tif 000010
【図８】
2009524944.tif 000011
【図９】
2009524944.tif 000012
【図１０】
2009524944.tif 000013
【図１１】
2009524944.tif 000014
【図１２】
2009524944.tif 000015
【図１３】
2009524944.tif 000016
【図１４】
2009524944.tif 000017
【図１５】
2009524944.tif 000018
【図１６】
2009524944.tif 000019
【図１７】
2009524944.tif 000020
【図１８】
2009524944.tif 000021
【図１９】
2009524944.tif 000022
【図２０】
2009524944.tif 000023
【図２１】
2009524944.tif 000024
【図２２】
2009524944.tif 000025
【図２３】
2009524944.tif 000026
【図２４】
2009524944.tif 000027
【図２５】
2009524944.tif 000028
【図２６】
2009524944.tif 000029
【図２７】
2009524944.tif 000030
【図２８】
2009524944.tif 000031
【図２９】
2009524944.tif 000032
【図３０】
2009524944.tif 000033
【図３１】
2009524944.tif 000034
【図３２】
2009524944.tif 000035
【図３３】
2009524944.tif 000036
【図３４】
2009524944.tif 000037
【図３５】
2009524944.tif 000038
【図３６】
2009524944.tif 000039
【図３７】
2009524944.tif 000040
【図３８】
2009524944.tif 000041
【図３９】
2009524944.tif 000042
【図４０】
2009524944.tif 000043
【図４１】
2009524944.tif 000044
【図４２】
2009524944.tif 000045
【図４３】
2009524944.tif 000046
【図４４】
2009524944.tif 000047
【図４５】
2009524944.tif 000048
【図４６】
2009524944.tif 000049
【図４７】
2009524944.tif 000050
【図４８】
2009524944.tif 000051
【図４９】
2009524944.tif 000052
【図５０】
2009524944.tif 000053
【国際調査報告】
2009524944.tif 000054
2009524944.tif 000055